(57)【要約】【課題】ユーザが肌の物理的な状態についての十分な知識を有していない場合でも、ユーザの要望に示される印象の実現をサポートするための情報を適切に出力することができる情報出力システムを提供する。【解決手段】情報出力システムは、入力部３２を介して入力された情報に基づいてユーザＵａの印象又は心の状態に関する要望を認識する要望認識部と、ユーザＵａの印象又はユーザの心の状態に関する要望を実現させるための施策を認識する施策認識部と、当該施策を含む情報を出力部３１に出力する出力制御部とを備える。【選択図】図１９
2019028691.tif 000002
【特許請求の範囲】
【請求項１】
ユーザの入力を検知する入力部と、
情報を出力する出力部と、
前記入力部を介して入力された情報に基づいて前記ユーザの印象又はユーザの心の状態に関する要望を認識する要望認識部と、
前記ユーザの印象又はユーザの心の状態に関する要望を実現させるための施策を認識する施策認識部と、
前記施策認識部により認識された施策を含む情報を前記出力部に出力する出力制御部とを備えることを特徴とする情報出力システム。
【請求項２】
請求項１記載の情報出力システムにおいて、
前記ユーザの印象に関する要望を示す情報は、前記ユーザを見たときに前記ユーザと異なる人が受ける印象の指定若しくは前記ユーザが自身を見たときに前記ユーザが受ける印象の指定を含み、又は前記ユーザの心の状態に関する要望を示す情報は、前記ユーザの自信の指定を含むことを特徴とする情報出力システム。
【請求項３】
請求項１又は２記載の情報出力システムにおいて、
前記要望を示す情報は、ユーザの印象又は心の状態の要望に関連する製品またはサービスを指定するための情報であることを特徴とする情報出力システム。
【請求項４】
請求項３記載の情報出力システムにおいて、
前記施策を含む情報は、前記製品の使用方法または前記サービスの享受方法と、前記製品の使用方法または前記サービスの享受方法とは異なる前記要望を実現するための施策とを含むことを特徴とする情報出力システム。
【請求項５】
請求項１〜４のうちいずれか１項記載の情報出力システムにおいて、
前記ユーザとは異なる他ユーザの要望である他ユーザ要望と、当該他ユーザが実行した施策である他ユーザ施策と、当該他ユーザ施策により前記他ユーザ要望が実現されたかの当該他ユーザによる評価である他ユーザ評価とを認識する他ユーザ評価認識部を備え、
前記施策認識部は、前記ユーザの要望と同一の当該他ユーザ要望に対する当該他ユーザ施策及び当該他ユーザ評価に基づいて前記施策を認識するように構成されていることを特徴とする情報出力システム。
【請求項６】
請求項１〜５のうちいずれか１項記載の情報出力システムにおいて、
前記ユーザの生活を示すユーザ生活情報、前記ユーザの属性を示すユーザ属性情報及び前記ユーザの体質を示すユーザ体質情報のうち少なくとも１つであるユーザ情報を認識するユーザ情報認識部と、
前記ユーザとは異なる他ユーザの生活を示す他ユーザ生活情報、前記他ユーザの属性を示す他ユーザ属性情報及び前記他ユーザの体質を示す他ユーザ体質情報のうち少なくとも１つである他ユーザ情報と、前記他ユーザの要望と、前記他ユーザが実施している又は実施した施策とを認識する他ユーザ情報認識部と、
それぞれの他ユーザごとに、前記ユーザ情報認識部により認識されたユーザ情報と前記他ユーザ情報認識部により認識された他ユーザ情報とを比較することにより、前記ユーザの生活、前記ユーザの属性又は前記ユーザの体質と、前記他ユーザの生活、前記他ユーザの属性又は前記他ユーザの体質との合致の度合いである合致度を認識する合致度認識部とを備え、
前記施策認識部は、前記ユーザの要望と同一の要望を有し、かつ、前記合致度が所定以上である他ユーザの当該他ユーザ施策及び当該他ユーザ評価に基づいて前記施策を認識するように構成されていることを特徴とする情報出力システム。
【請求項７】
請求項１〜６のうちいずれか１項記載の情報出力システムにおいて、
前記入力部を介して入力されたユーザの行動データに基づいて前記ユーザの行動を認識するユーザ行動認識部と、
前記ユーザの行動に応じた前記ユーザの印象の変化又は前記ユーザの心の状態が前記ユーザの要望が実現するように変化した場合に前記ユーザの行動の優先度を高く評価し、前記ユーザの行動に応じた前記ユーザの印象の変化又は前記ユーザの心の状態が、前記ユーザの要望の実現からかい離するように変化した場合に前記ユーザの行動の優先度を低く評価する行動評価部とを備え、
前記施策認識部は、前記優先度が所定の優先度閾値以上の行動を前記施策として認識するように構成されていることを特徴とする情報出力システム。
【請求項８】
請求項１〜７のうちいずれか１項記載の情報出力システムにおいて、
前記要望認識部により認識された要望に示される前記ユーザの印象または前記ユーザの心の状態に関連する前記ユーザの肌状態の項目である対応項目を認識する対応肌状態認識部を備え、
施策認識部は、前記対応項目を改善するための施策を認識することを特徴とする情報出力システム。
【請求項９】
請求項８記載の情報出力システムにおいて、
前記対応肌状態認識部は、ユーザの印象又は心の状態に関連する主観的なユーザの肌状態の項目を認識し、主観的なユーザの肌状態の項目に関連する客観的なユーザの肌状態の項目を認識し、
施策認識部は、客観的なユーザの肌状態の項目を改善する施策を認識するように構成されていることを特徴とする情報出力システム。
【請求項１０】
請求項８記載の情報出力システムにおいて、
前記対応肌状態認識部は、ユーザの印象又は心の状態に関連する客観的なユーザの肌状態の項目を認識し、客観的な肌状態の項目に関連する主観的な肌状態の項目を認識し、
施策認識部は、主観的なユーザの肌状態の項目を改善する施策を認識するように構成されていることを特徴とする情報出力システム。
【請求項１１】
請求項８記載の情報出力システムにおいて、
前記対応肌状態認識部は、ユーザの印象又は心の状態に関連する主観的なユーザの肌状態の項目及び客観的なユーザの肌状態の項目を認識し、
施策認識部は、前記主観的な肌状態の項目及び前記客観的な肌状態の項目の両方を改善する施策を認識するように構成されていることを特徴とする情報出力システム。
【請求項１２】
請求項１〜１１のうちいずれか１項記載の情報出力システムにおいて、
前記要望認識部は、前記入力部によって入力されたユーザの属性に応じて、前記要望を認識するように構成されていることを特徴とする情報出力システム。
【請求項１３】
情報を出力する出力部と、
前記ユーザの肌状態を認識するユーザ肌状態認識部と、
前記ユーザ肌状態認識部により認識された前記ユーザの肌状態を、前記ユーザの印象又はユーザの心の状態を示す図形、言葉又はスコアに置換する置換部と、
置換された前記ユーザの印象又はユーザの心の状態を示す図形、言葉又はスコアを前記出力部に出力する出力制御部とを備えることを特徴とする情報出力システム。
【請求項１４】
請求項１３記載の情報出力システムにおいて、
前記ユーザの印象又は前記ユーザの心の状態には、複数の種別があり、
前記ユーザの肌状態は、複数のスコアで表され、
前記置換部は、前記ユーザの印象の種別又は前記ユーザの心の状態及び前記複数のスコアに基づいて、前記ユーザの肌状態を前記ユーザの印象の種別又は前記ユーザの心の状態の種別に対応した図形、言葉又はスコアに置換するように構成されていることを特徴とする情報出力システム。
【請求項１５】
請求項１４記載の情報出力システムにおいて、
前記置換部は、前記ユーザの印象の種別又は前記ユーザの心の状態の種別に応じた係数に従って前記複数のスコアを重みづけ平均を算出することにより、前記ユーザの肌状態を前記ユーザの印象の種別又は前記ユーザの心の状態の種別に対応した図形、言葉又はスコアに置換するように構成されていることを特徴とする情報出力システム。
【請求項１６】
ユーザの入力を検知する入力部と、
情報を出力する出力部とを備えるシステムが実行する方法であって、
前記入力部を介して入力された情報に基づいて前記ユーザの印象又はユーザの心の状態に関する要望を認識するステップと、
前記ユーザの印象又はユーザの心の状態に関する要望を実現させるための施策を認識するステップと、
前記施策認識部により認識された施策を含む情報を前記出力部に出力するステップとを含むことを特徴とする情報出力方法。
【請求項１７】
ユーザの入力を検知する入力部と、
情報を出力する出力部とを備えるシステムに、
前記入力部を介して入力された情報に基づいて前記ユーザの印象又はユーザの心の状態に関する要望を認識するステップと、
前記ユーザの印象又はユーザの心の状態に関する要望を実現させるための施策を認識するステップと、
前記施策認識部により認識された施策を含む情報を前記出力部に出力するステップとを実行させることを特徴とする情報出力プログラム。
【発明の詳細な説明】
【技術分野】
【０００１】
本発明は、肌状態のケアに関する情報出力システム、情報出力プログラム及び情報出力方法に関する。
【背景技術】
【０００２】
従来、肌状態のケアに関する様々なツールが知られている。
【０００３】
例えば、特許文献１には、化粧品販売員等がユーザに対して用いるカウンセリングツールとして、肌状態の典型的なパターンに対し、その肌の状態の説明をする肌状態説明部と、その肌の状態に必要なスキンケア方法の説明表示部とを備えたカウンセリングツールが記載されている。
【０００４】
肌状態説明部は、肌状態の典型的なパターンとしての「水分が不足しがちな状態」という小見出しと、当該肌の状態についての「お肌を外的刺激から守るバリア機能も低下しやすく、………考えられます。」という説明文とを含む。ここで、「Ｗ保湿」及び「ローションマスク・クリーム」は、それぞれ、スキンケア方法の種類又はスキンケアに用いる商品を示している。
【０００５】
スキンケア方法の説明表示部は、当該肌状態におけるスキンケア方法としての「やや不足している方    Ｗ保湿」及び「不足している方    Ｗ保湿＋ローションマスク・クリーム」という見出しとが含まれている。
【０００６】
化粧品販売員は、例えば、顧客の肌状態が水分がやや不足している状態であると判断した場合、スキンケア方法の説明表示部に表示された「Ｗ保湿」を行うよう勧めるなど、顧客の肌状態とカウンセリングツールとを突き合わせることで、肌のパターンに応じた施策を即座にユーザに対して提示することができる。
【先行技術文献】
【特許文献】
【０００７】
【特許文献１】特許第４２９９０８０号公報
【発明の概要】
【発明が解決しようとする課題】
【０００８】
スマートフォンなどの携帯端末の活用が発達した近年では、携帯端末を介してユーザに肌状態のケアをサポートする情報を提供することが考えられる。しかし、ユーザは、必ずしも肌の物理的な状態について十分な知識を有しているとは限らない。肌の物理的な状態について十分な知識を有していないユーザに、特許文献１の技術のような、化粧品販売員等、ある程度肌の物理的な状態に詳しい人向けの肌状態のケアのサポートツールを使わせても、ユーザの希望に反する肌状態のケアが推薦されるおそれがある。
【０００９】
そこで、本発明は、ユーザが肌の物理的な状態についての十分な知識を有していない場合でも、ユーザの要望に示される印象又は心の状態の実現をサポートするための情報を適切に出力することができる情報出力システム、情報出力プログラム及び情報出力方法を提供することを目的とする。
【課題を解決するための手段】
【００１０】
本発明の情報出力システムは、
前記ユーザの入力を検知する入力部と、
情報を出力する出力部と、
前記入力部を介して入力された情報に基づいて前記ユーザの印象又はユーザの心の状態に関する要望を認識する要望認識部と、
前記ユーザの印象又はユーザの心の状態に関する要望を実現させるための施策を認識する施策認識部と、
前記施策認識部により認識された施策を含む情報を前記出力部に出力する出力制御部とを備えることを特徴とする。
【００１１】
当該構成の情報出力システムによれば、前記入力部により、情報に基づいて前記ユーザの印象又はユーザの心の状態に関する要望が認識される。
【００１２】
施策認識部により、ユーザの要望を実現するための施策が認識される。出力制御部により、前記施策認識部により認識された施策を含む情報が前記出力部に出力される。
【００１３】
以上述べたとおり、情報出力システムによれば、ユーザが肌の物理的な状態についての十分な知識を有していない場合でも、ユーザの要望に示される印象又はユーザの心の状態を実現するための施策に関する情報が適切に出力される。
【００１４】
本発明の情報出力システムにおいて、前記ユーザの印象に関する要望を示す情報は、前記ユーザを見たときに前記ユーザと異なる人が受ける印象の指定若しくは前記ユーザが自身を見たときに前記ユーザが受ける印象の指定を含み、又は前記ユーザの心の状態に関する要望を示す情報は、前記ユーザの自信の指定を含むことが好ましい。
【００１５】
他人若しくは自身が受ける印象又は自信は、比較的ユーザにとって理解しやすく、印象に関する要望は、ユーザの真意を反映しやすいと推察される。
【００１６】
この点に鑑みて構成された当該構成の情報出力システムによれば、前記ユーザの印象に関する要望を示す情報は、前記ユーザを見たときに前記ユーザと異なる人が受ける印象の指定若しくは前記ユーザが自身を見たときに前記ユーザが受ける印象の指定を含み、又は前記ユーザの心の状態に関する要望は、前記ユーザの自信の指定を含む。
【００１７】
そして、要望認識部によりユーザの印象又は心の状態に関する要望が認識された場合、施策認識部により、この要望を実現させるための施策が認識される。そして、施策認識部により認識された施策を含む情報が前記出力部に出力される。
【００１８】
これにより、ユーザの真意を反映しやすいと推察される、指定されたユーザの印象または自信を実現するための施策が出力されるので、ユーザが肌状態についての十分な知識を有していない場合でも、ユーザの要望に示される印象又は心の状態が実現されるような肌状態の改善をサポートするための施策に関する情報が適切に出力される。
【００１９】
本発明の情報出力システムにおいて、前記要望を示す情報は、ユーザの印象又は心の状態の要望に関連する製品またはサービスを指定するための情報であることが好ましい。 
【００２０】
当該構成の情報出力システムによれば、ユーザの印象又は心の状態の要望に関連する製品またはサービスを指定するための情報に基づいてユーザの要望が認識される。
【００２１】
製品またはサービスを指定するための情報は、製品またはサービスの提供若しくは広告または製品またはサービスに関連するユーザの嗜好の推定等、当該製品またはサービスに関連する様々な活動に用いられうる。
【００２２】
製品またはサービスを指定するための情報が製品またはサービスに関連する様々な活動に用いられることに加え、指定された製品またはサービスに関連したユーザの印象又は心の状態の要望を実現するための施策がユーザに提供される。
【００２３】
当該構成の情報出力システムにおいて、
前記施策を含む情報は、前記製品の使用方法または前記サービスの享受方法と、前記製品の使用方法または前記サービスの享受方法とは異なる前記要望を実現するための施策とを含むことを特徴とする。
【００２４】
ユーザは、指定した製品またはサービスに関する情報が出力されると期待していると推察されるところ、当該構成の情報出力システムによれば、前記製品の使用方法または前記サービスの享受方法と、前記製品の使用方法または前記サービスの享受方法とは異なる前記要望を実現するための施策とが出力部から出力される。これにより、ユーザの期待に添いながら、ユーザの要望に示される印象又は心の状態が実現されるような肌状態の改善をサポートするための施策に関する情報が適切に出力される。
【００２５】
本発明の情報出力システムにおいて、
前記ユーザとは異なる他ユーザの要望である他ユーザ要望と、当該他ユーザが実行した施策である他ユーザ施策と、当該他ユーザ施策により前記他ユーザ要望が実現されたかの当該他ユーザによる評価である他ユーザ評価とを認識する他ユーザ評価認識部を備え、
前記施策認識部は、前記ユーザの要望と同一の当該他ユーザ要望に対する当該他ユーザ施策及び当該他ユーザ評価に基づいて前記施策を認識するように構成されていることが好ましい。
【００２６】
当該構成の情報出力システムによれば、他ユーザ評価認識部により、前記ユーザとは異なる他ユーザの要望である他ユーザ要望と、当該他ユーザが実行した施策である他ユーザ施策と、当該他ユーザ施策により前記他ユーザ要望が実現されたかの当該他ユーザによる評価である他ユーザ評価とが認識される。
【００２７】
また、施策認識部により、前記ユーザの要望と同一の当該他ユーザ要望に対する当該他ユーザ施策及び当該他ユーザ評価に基づいて前記施策が認識される。出力制御部により、この施策が出力部に出力されることにより、ユーザにこの施策を認識させることができる。
【００２８】
これにより、同一の要望を有する他ユーザの経験を勘案に入れながら、ユーザに施策を提案することができる。
【００２９】
本発明の情報出力システムにおいて、
前記ユーザの生活を示すユーザ生活情報、前記ユーザの属性を示すユーザ属性情報及び前記ユーザの体質を示すユーザ体質情報のうち少なくとも１つであるユーザ情報を認識するユーザ情報認識部と、
前記ユーザとは異なる他ユーザの生活を示す他ユーザ生活情報、前記他ユーザの属性を示す他ユーザ属性情報及び前記他ユーザの体質を示す他ユーザ体質情報のうち少なくとも１つである他ユーザ情報と、前記他ユーザの要望と、前記他ユーザが実施している又は実施した施策とを認識する他ユーザ情報認識部と、
それぞれの他ユーザごとに、前記ユーザ情報認識部により認識されたユーザ情報と前記他ユーザ情報認識部により認識された他ユーザ情報とを比較することにより、前記ユーザの生活、前記ユーザの属性又は前記ユーザの体質と、前記他ユーザの生活、前記他ユーザの属性又は前記他ユーザの体質との合致の度合いである合致度を認識する合致度認識部とを備え、
前記施策認識部は、前記ユーザの要望と同一の要望を有し、かつ、前記合致度が所定以上である他ユーザの当該他ユーザ施策及び当該他ユーザ評価に基づいて前記施策を認識するように構成されていることが好ましい。
【００３０】
当該構成の情報出力システムによれば、合致度認識部により、それぞれの他ユーザごとに、前記ユーザ情報認識部により認識されたユーザ情報と前記他ユーザ情報認識部により認識された他ユーザ情報とを比較することにより、前記ユーザの生活、前記ユーザの属性又は前記ユーザの体質と、前記他ユーザの生活、前記他ユーザの属性又は前記他ユーザの体質との合致の度合いである合致度が認識される。
【００３１】
そして、前記施策認識部により、前記ユーザの要望と同一の要望を有し、かつ、前記合致度が所定の閾値以上である他ユーザの当該他ユーザ施策及び当該他ユーザ評価に基づいて前記施策が認識される。
【００３２】
これにより、前記ユーザと同一の要望を有する他ユーザが実施している又は実施した施策がユーザに提供される。この施策は、他ユーザが現に実施し又は実施した施策であり、さらにその他ユーザは、前記ユーザの生活、前記ユーザの属性又は前記ユーザの体質と合致度が高い生活、属性または体質を有している。
【００３３】
これにより、ユーザの要望を実現するための施策であって、前記ユーザの生活、前記ユーザの属性又は前記ユーザの体質に適している蓋然性が高い施策が前記ユーザに対して提案される。
【００３４】
本発明の情報出力システムにおいて、
前記入力部を介して入力されたユーザの行動データに基づいて前記ユーザの行動を認識するユーザ行動認識部と、
前記ユーザの行動に応じた前記ユーザの印象の変化又は前記ユーザの心の状態が前記ユーザの要望が実現するように変化した場合に前記ユーザの行動の優先度を高く評価し、前記ユーザの行動に応じた前記ユーザの印象の変化又は前記ユーザの心の状態が、前記ユーザの要望の実現からかい離するように変化した場合に前記ユーザの行動の優先度を低く評価する行動評価部とを備え、
前記施策認識部は、前記優先度が所定の優先度閾値以上の行動を前記施策として認識するように構成されていることが好ましい。
【００３５】
当該構成の情報出力システムによれば、ユーザ行動認識部により、前記入力部を介して入力されたユーザの行動データに基づいて前記ユーザの行動が認識される。
【００３６】
また、行動評価部により、ユーザの行動の優先度が評価される。
【００３７】
前記ユーザの行動の優先度は、前記ユーザの行動に応じた前記ユーザの印象の変化又は前記ユーザの心の状態が前記ユーザの要望が実現するように変化した場合に高く評価され、前記ユーザの行動に応じた前記ユーザの印象の変化又は前記ユーザの心の状態が前記ユーザの要望の実現からかい離するように変化した場合に低く評価される。換言すれば、所定の優先度閾値以上の優先度を有する行動は、過去にユーザの印象の変化又はユーザの心の状態がユーザの要望を実現するように変化させた可能性がある行動である。
【００３８】
そして、前記施策認識部により、優先度が所定の優先度閾値以上の行動が前記施策として認識される。
【００３９】
これにより、ユーザの要望を実現するように変化させた可能性がある行動が施策として認識され、出力部に出力される。
【００４０】
本発明の情報出力システムにおいて、
前記要望認識部により認識された要望に示される前記ユーザの印象または前記ユーザの心の状態に関連する前記ユーザの肌状態の項目である対応項目を認識する対応肌状態認識部を備え、
施策認識部は、前記対応項目を改善するための施策を認識することが好ましい。
【００４１】
本発明者らの検討により、肌状態とユーザの印象または前記ユーザの心の状態との間には相関があることが判明した。
【００４２】
このような知見に基づいて構成された当該構成の情報出力システムによれば、要望認識部によりユーザの印象または前記ユーザの心の状態に関する要望が認識される。
【００４３】
対応肌状態認識部により、前記要望認識部により認識された要望に示される前記ユーザの印象または前記ユーザの心の状態に関連する前記ユーザの肌状態の項目である対応項目が認識される。先に述べたように、肌状態とユーザの印象または前記ユーザの心の状態との間には相関があるから、要望に示されるユーザの印象または前記ユーザの心の状態に関連するユーザの肌状態の項目が認識される。そして、施策認識部により、対応肌状態認識部により認識された対応項目を改善させるための施策が認識される。
【００４４】
ここで、従来から、肌の改善の施策については多くの研究が行われている。上記の通り、要望に示されるユーザの印象または前記ユーザの心の状態に関連するユーザの肌状態の項目が認識され、当該項目を改善するための施策が認識されることにより、肌の改善の施策に関する研究の成果が活用できるようになる。
【００４５】
対応項目が改善されれば、印象又は心の状態もユーザの要望に示される印象又は心の状態となるように変化しうる。出力制御部により、前記施策認識部により認識された施策を含む情報が前記出力部に出力される。
【００４６】
以上述べたところによれば、情報出力システムによれば、ユーザが肌状態についての十分な知識を有していない場合でも、ユーザの要望に示される印象又は心の状態が実現されるような肌状態の改善をサポートするための施策に関する情報が適切に出力される。
【００４７】
当該構成の情報出力システムにおいて、
対応肌状態認識部は、ユーザの印象又は心の状態に関連する主観的なユーザの肌状態の項目を認識し、主観的なユーザの肌状態の項目に関連する客観的なユーザの肌状態の項目を認識し、
施策認識部は、客観的なユーザの肌状態の項目を改善する施策を認識するように構成されていることが好ましい。
【００４８】
これらの情報出力システムにおいて、
対応肌状態認識部は、ユーザの印象又は心の状態に関連する客観的なユーザの肌状態の項目を認識し、客観的な肌状態の項目に関連する主観的な肌状態の項目を認識し、
施策認識部は、主観的なユーザの肌状態の項目を改善する施策を認識するように構成されていることが好ましい。
【００４９】
当該構成の情報出力システムにおいて、
対応肌状態認識部は、ユーザの印象又は心の状態に関連する主観的なユーザの肌状態の項目及び客観的なユーザの肌状態の項目を認識し、
施策認識部は、前記主観的な肌状態の項目及び前記客観的な肌状態の項目の両方を改善する施策を認識するように構成されていることが好ましい。
【００５０】
本発明の情報出力システムにおいて、
前記要望認識部は、前記入力部によって入力されたユーザの属性に応じて、前記要望を認識するように構成されていることが好ましい。
【００５１】
ユーザの属性は、ユーザの印象またはユーザの心の状態に対する要望と密接な関係があると考えられるところ、当該構成の情報出力システムによれば、前記入力部によって入力されたユーザの属性に応じて、前記要望が認識される。これにより、ユーザが要望を入力しない場合でも、ユーザの属性に応じて要望が認識されることにより、ユーザの要望が精度よく把握されうる。
【００５２】
本発明の情報出力システムは、
情報を出力する出力部と、
前記ユーザの肌状態を認識するユーザ肌状態認識部と、
前記ユーザ肌状態認識部により認識された前記ユーザの肌状態を、前記ユーザの印象又はユーザの心の状態を示す図形、言葉又はスコアに置換する置換部と、
置換された前記ユーザの印象又はユーザの心の状態を示す図形、言葉又はスコアを前記出力部に出力する出力制御部とを備えることを特徴とする。
【００５３】
当該構成の情報出力システムによれば、ユーザ肌状態認識部により前記ユーザの肌状態の肌状態が認識される。そして、置換部により、前記ユーザ肌状態認識部により認識されたユーザの肌状態の肌状態が、前記ユーザの印象又はユーザの心の状態を示す図形、言葉又はスコアに置換される。そして、情報出力部により前記ユーザの印象又はユーザの心の状態を示す図形、言葉又はスコアが前記出力部に出力される。これにより、ユーザに対して、ユーザの肌状態の肌状態に応じた前記ユーザの印象又はユーザの心の状態を認識させることができる。ユーザが肌状態について十分な知識を有していない場合でも、前記ユーザの印象又はユーザの心の状態に即した図形、言葉又はスコアであれば、ユーザに理解させやすい。  
【００５４】
当該構成の情報出力システムにおいて、
前記ユーザの印象又は前記ユーザの心の状態には、複数の種別があり、
前記ユーザの肌状態は、複数のスコアで表され、
前記置換部は、前記ユーザの印象の種別又は前記ユーザの心の状態及び前記複数のスコアに基づいて、前記ユーザの肌状態を前記ユーザの印象の種別又は前記ユーザの心の状態の種別に対応した図形、言葉又はスコアに置換するように構成されていることが好ましい。
【００５５】
当該構成の情報出力システムによれば、前記ユーザの印象の種別又は前記ユーザの心の状態の種別及び前記複数のスコアに基づいて前記ユーザの肌状態を前記ユーザの印象の種別又は前記ユーザの心の状態の種別に対応した図形、言葉又はスコアに置換される。これにより、それぞれの種別に応じた前記ユーザの印象又はユーザの心の状態の図形、言葉又はスコアへの置換が行われる。
【００５６】
当該構成の情報出力システムにおいて、
前記置換部は、前記ユーザの印象の種別又は前記ユーザの心の状態の種別に応じた係数に従って前記複数のスコアを重みづけ平均を算出することにより、前記ユーザの肌状態を前記ユーザの印象の種別又は前記ユーザの心の状態の種別に対応した図形、言葉又はスコアに置換するように構成されていることが好ましい。
【００５７】
当該構成の情報出力システムによれば、前記ユーザの印象の種別又は前記ユーザの心の状態の種別に応じた係数に従って前記複数のスコアの重み付け平均を算出することにより、前記ユーザの肌状態を前記ユーザの印象の種別又は前記ユーザの心の状態の種別に対応した図形、言葉又はスコアに置換される。これにより、それぞれの種別に応じた前記ユーザの印象又は前記ユーザの心の状態を示す図形、言葉又はスコアの置換が行われる。
【図面の簡単な説明】
【００５８】
【図１】肌サポートサーバの利用形態の説明図。
【図２】肌サポートサーバ及びユーザ端末の構成図。
【図３】肌サポートサーバによる一連の肌サポート処理の説明図。
【図４】肌サポートサーバにおける処理の第１のフローチャート。
【図５】肌サポートサーバにおける処理の第２のフローチャート。
【図６】ユーザ端末における処理の第１のフローチャート。
【図７】ユーザ端末における処理の第２のフローチャート。
【図８】主観データ及び客観データによる肌、心、体の初期データの解析処理の説明図。
【図９】体状態の数値化の説明図。
【図１０】心状態の数値化の説明図。
【図１１】図１１Ａは各施策とその施策の改善傾向等との関係を示す図で、図１１Ｂは各工程のスケジュールを示す図で、図１１Ｃはなりたい肌と肌状態の主観状態、客観状態との関係を示す図。
【図１２】画像表示を実施している期間における日々のモニタリングに基づく進捗表の説明図。
【図１３】特殊事例による肌状態への影響の説明図。
【図１４】ユーザ端末における肌状態の改善度の表示画面の説明図。
【図１５】施策の評価方法の説明図であり、図１５Ａは施策の評価基準を示し、図１５Ｂは施策の評価例を示している。
【図１６】暮らし及び特殊事例の評価方法の説明図であり、図１６Ａは暮らし及び特殊事例の評価基準を示し、図１６Ｂは暮らし及び特殊事例の評価例を示している。
【図１７】ゴール達成度の判定方法の説明図。
【図１８】２次データの説明図。
【図１９】要望実現施策認識処理のフローチャートの一例。
【図２０】要望認識処理のフローチャートの一例。
【図２１】製品またはサービス選択画面を示す図。
【図２２】図２２Ａは、製品またはサービス名と印象又は心の状態の要望とを関連付けたテーブル、図２２Ｂは、印象又は自信の指定と印象又は心の状態の要望とを関連付けたテーブル。
【図２３】要望認識処理のフローチャートの一例。
【図２４】要望認識処理のフローチャートの一例。
【図２５】施策認識処理のフローチャートの一例。
【図２６】図２６Ａは、ユーザＩＤとユーザの属性と生活習慣と体質とを関連付けたテーブル、図２６Ｂは、ユーザＩＤとユーザの要望とユーザの施策とその評価とを関連付けたテーブル。
【図２７】施策推薦画面の一例を示す図。
【図２８】施策認識処理のフローチャートの一例。
【図２９】図２９Ａは、要望と対応客観項目と目標状態とを関連付けたテーブル、図２９Ｂは対応客観項目と対応主観項目と係数とを関連付けたテーブル、図２９Ｃは対応客観項目と目標状態と施策とを関連付けたテーブル、図２９Ｄは施策と優先度とを関連付けたテーブル。。
【図３０】施策認識処理のフローチャートの一例。
【図３１】肌状態対応情報出力処理のフローチャートの一例。
【図３２】図３２Ａは、対応客観項目と前回スコアと今回スコアとを関連付けたテーブル、図３２Ｂは、要望と対応客観項目と係数とを関連付けたテーブル。
【図３３】要望に対応したスコアの表示画面の一例。
【図３４】代替施策推奨処理のフローチャートの一例。
【発明を実施するための形態】
【００５９】
本発明の実施形態の一例について、図１〜図１８を参照して説明する。
【００６０】
［Ａ．肌サポートサーバの利用形態］
図１を参照して、肌サポートサーバ１０の構成および本発明を構成する系に対する位置付けを説明する。肌サポートサーバ１０は、ＣＰＵ、メモリ、各種インターフェース回路等を備えたコンピュータシステムにより構成される。肌サポートサーバ１０は、メモリに保持された画像表示用のプログラムをＣＰＵで実行することによって、複数のユーザＵ（図１ではＵａ，Ｕｂ，Ｕｃを例示）の肌状態を改善又は維持するための処理（画像表示処理）を実行する機能を実現する。
【００６１】
肌サポートサーバ１０は、インターネット等の通信ネットワーク１を介して、複数のユーザＵの通信端末（ユーザ端末）３０（図１では３０ａ，３０ｂ，３０ｃを例示）との間でデータ通信を行うことにより、ユーザＵの肌状態の改善又は維持をサポートする。肌サポートサーバ１０と、ユーザ端末３０とにより構成されるシステムが、本発明の「情報出力システム」の一例に相当する。
【００６２】
通信ネットワーク１には、担当者Ｔ（図１ではＴａ，Ｔｂを例示）の通信端末５０（図１では５０ａ，５０ｂを例示）も接続されている。担当者Ｔは、通信端末５０を介して、ユーザＵの肌の特徴や趣味嗜好、生活スタイル等を考慮した適切な肌ケア法等の情報を含むデータを、肌サポートサーバ１０及びユーザ端末３０に送信することにより、ユーザＵの肌状態の改善に対するアドバイスを行う。なお、担当者Ｔの通信端末５０とユーザＵのユーザ端末３０とは必ずしも一対一である必要はなく、肌サポートサーバ１０、担当者Ｔの通信端末５０、通信ネットワーク１を合わせた系全体によってユーザＵの肌状態の改善に対するアドバイスがユーザＵのユーザ端末３０に提供されればよい。例えば、ユーザＵの１又は複数のユーザ端末３０に対して、複数の担当者Ｔによってそれぞれの通信端末５０を介してアドバイスを提供する方法でも良い。
【００６３】
さらに、肌サポートサーバ１０は、複数のユーザＵのユーザ端末３０から送信される各ユーザの固有データを解析して、汎用的に活用可能な２次データを生成する機能を有し、この２次データを通信ネットワーク１を介して他のシステム６０に提供するサービスも行うことができる。
【００６４】
［Ｂ．肌サポートサーバ、及びユーザ端末の構成］
図２を参照して、肌サポートサーバ１０およびユーザ端末３０の構成について説明する。肌サポートサーバ１０は、メモリに保持された情報出力プログラムをＣＰＵで
実行することにより、肌状態認識部１１、施策グループ選択部１２、施策情報送信部１３、及び２次データ生成部１９として機能する。これらの構成による処理については後述する。また、肌サポートサーバ１０は、ユーザＵの画像表示処理に使用する各種データを保持するサポートＤＢ（データベース）２０を備えている。このサポートＤＢ２０はたとえばＲＡＭ上に展開され、後述する主観および客観データの更新によって書き換え可能である。
【００６５】
次に、本実施形態のユーザ端末３０は、表示器３１、タッチパネル３２、カメラ３３、マイク３４、ＣＰＵ３５、及びメモリ３６等を備えている。表示器３１が、本発明の「出力部」に相当する。タッチパネル３２が、本発明の「入力部」に相当する。これに代えてまたは加えて、カメラ３３で撮像したユーザＵの画像又はマイク３４から入力されたユーザＵの音声に基づいてユーザの指定を認識することにより、カメラ３３又はマイク３４を本発明の「入力部」として機能させてもよい。
【００６６】
なお、一の装置が情報を「認識する」とは、一の装置が他の装置から当該情報を受信すること、一の装置が当該一の装置に接続された記憶媒体に記憶された情報を読み取ること、一の装置が当該一の装置に接続されたセンサから出力された信号に基づいて情報を取得すること、一の装置が、受信した情報又は記憶媒体に記憶された情報又はセンサから取得した情報に基づいて、所定の演算処理（計算処理又は検索処理など）を実行することにより当該情報を導出すること、一の装置が他の装置による演算処理結果としての当該情報を当該他の装置から受信すること、一の装置が当該受信信号にしたがって内部記憶装置又は外部記憶装置から当該情報を読み取ること等、当該情報を取得するためのあらゆる演算処理が実行されることを意味する。
【００６７】
本実施形態においては、ユーザ端末３０は例えばスマートフォンであるため、カメラ３３やマイク３４等を備えているが、ユーザ端末と有線無線にかかわらずやり取りできる構成であれば、外付けでの構成であったり、専門的な撮像装置を用いても良い。ＣＰＵ３５は、メモリ３６に保持された画像表示用のアプリケーション３５ａ（以下、肌サポートアプリ３５ａという）のプログラムを実行することにより、ユーザＵが肌サポートアプリ３５ａを介して肌サポートサーバ１０によるサポートを享受可能な状態とする。肌サポートアプリ３５ａを実行したＣＰＵ３５が、本発明の「要望認識部」「施策認識部」「出力制御部」「他ユーザ評価認識部」「ユーザ情報認識部」「他ユーザ情報認識部」「合致度認識部」「ユーザ行動認識部」「行動評価部」「対応肌状態認識部」「ユーザ肌状態認識部」「置換部」に相当する。
【００６８】
また、ユーザＵは、肌の細胞を取得するための角質採取テープ３７（図１では３７ａ、３７ｂ、３７ｃを例示）を別途有している。この角質採取テープ３７は、予め担当者ＴによりユーザＵに提供されたものであってもよいし、ユーザＵが市販の角質採取テープ３７を購入してもよい。
【００６９】
なお、以下の説明では、説明の便宜のため、肌状態の改善又は維持のサポート処理の対象のユーザをユーザＵａと表し、「ユーザＵａ」と異なるユーザを「他のユーザＵｂ、Ｕｃ」と表す。
【００７０】
［Ｃ．肌サポートサーバによる一連の処理］
次に、図３を参照して、肌サポートサーバによる一連の処理について説明する。肌サポートサーバ１０は、「１．ゴール設定」、「２．スケジュール決定」、「３．モニタリング」、「４．スケジュール修正」、［５．ゴール判定］及び「６．２次データ生成」の各工程の処理を、図４，５に示したフローチャートに従って実行する。また、ユーザ端末３０は、各工程における肌サポートサーバ１０による処理に応じて、図６，７に示したフローチャートによる処理を実行する。以下では、各工程における肌サポートサーバ１０及びユーザ端末３０のＣＰＵ３５の処理について、図４〜７に示したフローチャート
を参照しつつ説明する。
【００７１】
ユーザＵａは、図６のＳＴＥＰ５０で、肌サポートアプリ３５ａのプログラムをユーザ端末３０にダウンロードして肌サポートアプリ３５ａを起動する。そして、ユーザＵａは肌サポートアプリ３５ａへの登録申請を行う。
【００７２】
肌サポートサーバ１０は、図４のＳＴＥＰ１０で、ユーザＵａからの登録申請を受け付けたときに、「ユーザＵａからの登録申請を受け付けた」と認識し、ＳＴＥＰ１１に処理を進める。そしてＳＴＥＰ１１以降の画像表示処理を開始する。
【００７３】
［Ｄ．ゴール設定工程］
図３に示した「１．ゴール設定」の工程は、肌状態認識部１１及び施策グループ選択部１２により実行される。施策グループ選択部１２は、図４のＳＴＥＰ１１でユーザ端末３０にユーザＵａの現状の肌、体、心の各状態、及びユーザＵａが要望する肌状態を把握するための情報入力を促す初期情報要求データを送信する。
【００７４】
この初期情報要求データを受信したユーザ端末３０では、肌サポートアプリ３５ａが、図６のＳＴＥＰ５１で、ユーザＵａに対して、現状の肌、体、心の各状態、及びユーザＵａが要望する肌状態の入力を促す画面を表示器３１に表示する。それに対してユーザ端末３０は、ユーザＵａが入力した情報を含む初期ユーザ情報データを、肌サポートサーバ１０に送信する。
【００７５】
肌状態認識部１１は、図４のＳＴＥＰ１１において、初期ユーザ情報データを受信して、初期ユーザ情報データから認識したユーザＵａの肌、心、体の各状態と、ユーザＵａが要望する肌状態とに基づいて、肌状態の目標スコア（ゴール）を設定する。
【００７６】
ここで、初期ユーザ情報データには、肌状態、体状態、及び心状態についての主観データ及び客観データが含まれている。詳細な定義は後述するが、主観データはユーザの主観によって判定される項目、客観データは検査結果や画像解析、事実情報に基づいたデータである。肌状態の主観データは、ユーザの肌に対するユーザ本人による評価のデータを含む。肌状態の主観データは、現状の肌状態に対するユーザＵａの満足度を、例えば１０段階で示したデータである。肌状態の客観データは、ユーザの肌に対して、ユーザとは異なる者によって一定の基準又は規則に従ってなされた評価のデータ及びユーザの肌から器具又は装置を介して得られたデータを含む。例えば、肌状態の客観データは、ユーザＵａの肌画像データである。なお、肌状態の客観データには、初期ユーザ情報データに含まれる肌状態の客観データに加え、角質採取テープ３７により採取されたユーザＵａの角層細胞の解析データが含まれても良い。
【００７７】
ユーザＵａの肌に対するユーザ本人による評価は肌サポートアプリ３５ａにおけるアンケート入力によって取得される。ユーザＵａの肌に対するユーザＵａ本人による評価は、例えば、脂っぽさ、ニキビ、吹き出物、毛穴の目立ち、かさつき、乾燥感、ハリ、ツッパリ感、透明感、小じわ、くすみ、クマ、肌の赤み、肌の白み、シミ、ソバカス、ごわつき、しぼみ感、敏感、たるみ、肌の老化度、 触診による皮脂量、触診による肌感触、触診による肌温度等についての評価である。これらの評価は、それぞれごとに例えば１０段階で示されうる。
【００７８】
ユーザＵａの肌に対するユーザＵａと異なる者によって一定の基準又は規則に従ってなされた評価は、脂っぽさ、ニキビ、吹き出物、毛穴の目立ち、かさつき、乾燥感、ハリ、ツッパリ感、透明感、小じわ、くすみ、クマ、肌の赤み、肌の白み、シミ、ソバカス、ごわつき、しぼみ感、敏感、たるみ、触診による皮脂量、触診による肌感触、触診による肌温度等についての評価である。これらの評価は、それぞれごとに例えば１０段階で示されうる。当該評価は、例えば、肌画像データと、スコアごとの対比画像との比較の上で決定されうる。
【００７９】
ユーザＵａの肌に対するユーザＵａと異なる者は、例えば担当者Ｔ、化粧品店のアドバイザー等の肌の専門家である。ユーザＵａの肌に対するユーザと異なる者は、例えば、通信端末５０を介して肌画像データを得、当該肌画像データと比較用画像データとをもとに上記評価をなしうる。
【００８０】
教師付機械学習、強化学習等の機械学習により、上記評価のための分類器が作成され、当該分類器を用いて上記評価がなされてもよい。
【００８１】
器具又は装置を介して得られたデータは、例えば、ユーザ端末３０のカメラ３３又は接続端子４０に接続された外部カメラによって撮像された画像、角質採取テープ３７によって取得されたデータである。
【００８２】
肌サポートサーバ１０は、これらにより得られたデータを一定の基準又は規則に従って解析することにより、皮脂量（皮脂適格性）、保水力（保水能力）、セラミド量、弾力性、血行、メラニン量、水分量、口角の角度、目じりの角度、皺の数、くちびるの色又は顔の血色等のそれぞれを評価する。肌サポートサーバ１０は、これらを例えば皮脂量１００μｇ等の物理量で表してもよい。肌サポートサーバ１０は、これらを、例えば10段階でスコアリングしてもよい。また、肌サポートサーバ１０は、くちびるの色、顔の血色等を色を示す符号で表してもよい。
【００８３】
また、肌画像データは、ユーザ端末３０のカメラ３３又は接続端子４０に接続された外部カメラによってユーザＵａがユーザＵａの顔を撮像することによって取得した画像データである。
【００８４】
また、肌サポートアプリ３５ａは、ユーザＵａに対して、角質採取テープ３７の使用方法を表示器３１に表示し、角質採取テープ３７の使用と別途の郵送とを促す。肌サポートアプリ３５ａは、ユーザＵａに対して、角質採取テープ３７の使用と肌画像の撮像を促し、撮像された画像が肌サポートサーバ１０に送信されるようにしてもよい。
【００８５】
角層細胞の解析データは、具体的には例えば保水能力と皮脂適格性に関するデータである。この場合、角層細胞の解析を、例えばユーザ端末３０に接続された測定機器４５により行うことで、或は、角質採取テープ３７の画像データをユーザ端末３０から肌サポートサーバ１０に送信する。
【００８６】
肌サポートサーバ１０では、肌サポートサーバ１０側で角質採取テープ３７の画像を分析して保水能力と皮脂適格性などを測定してもよい。
【００８７】
肌状態認識部１１は、図８に示したように、肌状態の初期値を、主観のスコアをたとえば３、肌画像のスコアを３、保水能力のスコアを２、皮脂適格性のスコアを１に割り当て
て、合計した値を肌状態のスコアとする。なお、スコアは正の整数ではなく、小数で表現されていてもよいし、負の数で表されてもよい。
【００８８】
角層細胞の解析による保水能力スコア及び皮脂適格性のスコアの認識を第１認識方法と呼ぶ。第１認識方法は、これに代えてまたは加えて、角層水分量計によりユーザの肌の水分量を計測する方法及び皮脂量計によりユーザの肌の皮脂量を計測する方法のうち少なくとも１つを含む。また、第１の認識方法によるユーザの肌の認識を定期的に行うため、肌状態認識部１１は、定期的にユーザ端末３０に角質採取テープ３７等の使用を促すメッセージを送信したりすることにより、ユーザに行動を促す。このときの「定期的」というのは厳密に時間的に等間隔である必要はなく、肌状態に影響が出ない範囲で等間隔であれば良い。例えば、３ヶ月ごとに第１の認識方法を実施する場合において、１月１日に初回を実施した場合、ちょうど３か月後の４月１日のみならず、例えばその１週間前の３月２４日前後にユーザ端末３０にメッセージを送信してもよいし、例えばその１週間後の４月８日前後にユーザ端末３０にメッセージを送信してもよい。また、長期的にサービスを提供するときなどは、例えば細かい改善を調べたい時は１ヶ月ごとに第１の認識方法を設定し、肌状態に対する季節変化の影響を調べるために３か月ごとに第１の認識方法を設定するなど、認識のタイミングは変更可能である。
【００８９】
アンケート入力による肌状態の主観データに基づいた主観スコア（例えば、ユーザ本にによる評価）の認識及びユーザＵａの肌画像データに基づく肌画像スコアの認識のそれぞれを第２認識方法と呼ぶ。第２認識方法は、アンケート入力による肌状態の主観データに基づいた主観スコアの認識及びユーザＵａの肌画像データに基づく肌画像スコアの認識の一方によってユーザＵａの肌状態を認識してもよいし、これらと異なる方法を含んでもよい。また、第２認識方法は、第１の認識方法よりも頻繁に行われる。これは角質採取テープ３７の使用・郵送が手間的にも煩雑かつ値段的にも高価になってしまうためである。また、角質採取テープ３７の使用が頻繁であると、ユーザＵａの肌へ悪影響が及ぶおそれもある。
【００９０】
例えば３か月間ごとに第１の認識方法が実施され、第２の認識方法は毎日実施にされる。また、第１の認識方法の実施と第２の認識方法の実施のタイミングが重なる時は、できれば同じタイミングで実施されると精度の良いデータが取れるために好ましい。
【００９１】
なお、主観スコアは、主観データに基づいて認識されたスコアであればよい。
【００９２】
体状態の主観データと客観データは、図９に示したように分けられている。詳細な定義は後述するが、肌の主観データおよび客観データと同様に、主観データはユーザＵａの主観によって判定される項目、客観データは検査結果や画像解析、事実情報に基づいたデータである。体状態の主観データは、ユーザの体に対するユーザ本人による評価を含む。体状態の主観データは、ユーザＵａが肌サポートアプリ３５ａを通じてアンケートを入力することによって取得される。体状態の客観データは、ユーザの体に対して、ユーザとは異なる者（医師等）によって医学等の一定の基準又は規則に従ってなされた評価及びユーザの体から器具又は装置を介して得られたデータを含む。例えば、客観データは、ユーザＵａがユーザ端末３０のカメラ３３を用いて撮像されたユーザＵａの舌・唇の画像データ、ユーザ端末３０の接続端子４０に接続された測定機器４５により測定されたユーザＵａの血圧、不整脈、尿中成分、血中成分等の測定データと、肌サポートアプリ３５ａにおけるアンケート入力により取得された頭痛又は肩こり等の体調不良の回数、疲労度判定等のデータである。なお、将来の肌ケア以外のサービスへの展開に備えて、種々の病気の発生情報などについても初期ユーザ情報データに含めてもよい。
【００９３】
心状態の主観データと客観データは、図１０に示したように分けられている。、詳細な定義は後述するが、肌の主観データおよび客観データと同様に、主観データはユーザＵａの主観によって判定される項目、客観データは検査結果や画像解析、事実情報に基づいた
データである。心状態の主観データは、ユーザの心に対するユーザ本人による評価を含む。主観データは、肌サポートアプリ３５ａにおけるアンケート入力によって取得される。心状態の客観データは、ユーザの心に関連する動作のデータ、ユーザの心に対して、ユーザとは異なる者（カウンセラー又は精神科医等）によって精神医学等の一定の基準又は規則に従ってなされた評価及びユーザの体から器具又は装置を介して得られたデータを含む。例えば、客観データは、肌サポートアプリ３５ａにおけるアンケート入力（一日の笑った頻度等）と、測定機器による測定（脈拍モニタリングからの心理状態推定等）とにより取得される。なお、将来の肌ケア以外のサービスの展開に備えて、種々の精神疾患の発生情報についても初期ユーザ情報データに含めてもよい。
【００９４】
肌状態認識部１１は、認識したユーザＵａの肌、体、心の状態の主観データ及び客観データを、サポートＤＢ２０に記憶する。
【００９５】
肌状態認識部１１は、このようにして初期ユーザ情報データから認識したユーザＵａの肌状態、体状態、及び心状態の主観データと客観データに基づいて、図８の右側の三角形で示したように、肌状態を１〜９、体状態を１〜６、心状態を１〜６の各スコアで表した３軸の初期値を設定する。なお、肌状態のスコアと同様に、体状態又は心状態の主観データ及び客観データから体状態又は心状態の主観スコア及び客観スコアが算出され、それらに基づいて体状態のスコア及び心状態のスコアとして扱われてもよい。
【００９６】
さらに、施策グループ選択部１２は、初期ユーザ情報データに含まれる「なりたい肌スコア」「施策のカテゴリー、希望、頻度」及び「現在行っている施策」を取得する。「なりたい肌スコア」「施策のカテゴリー，希望，頻度」及び「現在行っている施策」は、肌サポートアプリ３５ａにより、ユーザＵａが入力したものである。
【００９７】
ここで、「なりたい肌スコア」において、「なりたい肌」とは、乾燥感改善、ごわつき改善、敏感肌改善、ニキビ改善、しぼみ感改善、シミ改善、シワ改善、たるみ改善、くすみ改善、くま改善、顔色改善、及びハリ改善の中から選択された肌状態の改善対象である。また、「スコア」とは、各対象の肌状態に対するユーザＵａの満足度であって、肌サポートアプリにおいて１〜１０の１０段階でユーザが選択したスコアである。
【００９８】
サポートＤＢ２０は、各改善対象に関連付けられた肌状態の主観状態の改善傾向及び客観状態の改善傾向を記憶している。例えば、図１１Ｃに示されるように、「乾燥感改善」には、肌状態の主観状態「乾燥感改善」と、肌状態の客観状態の基準「保水能力と皮脂適格性との差を最小化」とが関連付けられている。
【００９９】
例えば、「なりたい肌」が「乾燥感改善」であり、現状の肌状態の乾燥感の満足度のスコアが３であるときに、ユーザＵａの選択に応じて、「乾燥感改善」と関連付けられたユーザＵａの肌状態の主観状態「乾燥感改善」についての満足度５が主観的な目標スコアとして設定される。
【０１００】
また、施策グループ選択部１２は、「乾燥感改善」に関連付けられた肌状態の客観的な改善対象を設定する。例えば、施策グループ選択部１２は、「乾燥感改善」に関連付けられた基準「保水能力と皮脂適格性との差を最小化」に基づいて、ユーザＵａの肌状態のうち、保水能力よりも低い皮脂適格性の値２を客観的な目標スコアとして設定する。
【０１０１】
また、「施策のカテゴリー、希望、頻度」において、カテゴリーとしては「食生活、自宅での行動、運動、化粧品の使い方」等、希望としては「難易度、時間制約、肌ケアを行うシーン」等、頻度としては「１日当たりのアドバイスを受ける回数」等が選択される。
【０１０２】
「現在行っている施策」は、ユーザＵａがすでに行っている施策であり、「湯船につかる」等の内容及び頻度又は程度などにより表される。
【０１０３】
［Ｅ．スケジュール決定工程］
図３に示した「２．スケジュール決定」の工程は、施策グループ選択部１２及び施策情報送信部１３により実行される。施策グループ選択部１２は、図４のＳＴＥＰ１２で、ゴール（主観的な目標スコア及び客観的な目標スコア）を達成するための施策グループを選択する。この選択は、上述した各改善対象に関連付けられた、肌状態の主観状態の改善傾向と肌状態の客観状態の改善傾向と適した周辺環境とを考慮して行われる。施策グループ選択部１２は、あらかじめ登録された地域またはＧＰＳセンサ等によって検出された位置情報と、端末の時計機能から取得した日時とに基づいて、スケジュール期間におけるユーザＵａの周辺環境の温度、湿度等を予測する。
【０１０４】
例えば、施策グループ選択部１２は、カテゴリーの希望が「自宅での行動、食生活、運動」であり、梅雨の時期のように湿度が平均５０％と予測される季節であり、主観的な目標スコアが「乾燥感」の満足度５以上、客観的な目標スコアが皮脂適格性２以上である場合、主観状態の改善傾向が「乾燥感改善」を含み、客観状態の改善傾向が「皮脂適格性向上」を含み、カテゴリーに「自宅での行動、食生活、運動」のいずれかであり、適した周辺環境が湿度５０％と矛盾しない施策を選択する。
【０１０５】
ここで、主観状態の改善傾向及び客観状態の改善傾向は、予め担当者Ｔ等の専門家によって定められたものであってもよいし、サポートＤＢ２０に記憶された他のユーザＵｂ、Ｕｃが実施した施策と他のユーザＵｂ、Ｕｃの肌状態の時系列的変化に基づいて推定される主観状態の改善傾向及び客観状態の改善傾向であってもよいし、実施した施策とユーザＵａの肌状態の時系列的変化がサポートＤＢ２０に保存されている場合には、当該情報に基づいて推定される主観状態の改善傾向及び客観状態の改善傾向であってもよい。
【０１０６】
例えば、サポートＤＢ２０には、他のユーザＵｂ、Ｕｃのそれぞれが実施した施策と、その施策を実施した前後の他のユーザＵｂ、Ｕｃそれぞれごとの肌状態の主観データの時系列的変化及び他のユーザＵｂ、Ｕｃそれぞれごとの肌状態の客観データの時系列的変化の一方又は両方とが記憶される。
【０１０７】
また、例えば、サポートＤＢ２０には、他のユーザＵｂ、Ｕｃのそれぞれが実施した施策「湯船につかる」と、その施策を実施した前後における、他のユーザＵｂ、Ｕｃそれぞれの肌状態の主観状態の時系列的変化としての「乾燥感についての満足度」が記憶されているとする。
【０１０８】
このとき、施策グループ選択部１２は、各他のユーザＵｂ、Ｕｃごとに、施策「湯船につかる」について、例えば、湯船につかる前日と、湯船につかった日の肌状態の主観データ（乾燥感についての満足度）の変化量を算出する。そして、施策グループ選択部１２は、各他のユーザＵｂ、Ｕｃごとの乾燥感についての満足度の変化量の平均値をとる。施策グループ選択部１２は、例えば、「乾燥感についての満足度」の変化量の平均値が所定値以上である場合に、施策「湯船につかる」の主観状態の改善傾向を「乾燥感改善」と認識する。客観状態の改善傾向についても、主観状態の改善傾向と同様に認識できる。
【０１０９】
施策グループ選択部１２は、ユーザＵａの年齢及び肌状態に基づいて、同年代、同様の肌状態等、処理対象とする他のユーザＵｂ、Ｕｃの範囲を絞ってもよい。
【０１１０】
また、施策グループ選択部１２は、サポートＤＢに実施した施策とユーザＵａの肌状態の時系列的変化が保存されている場合には、上記と同様にして算出した当該情報に基づいて推定される主観状態の改善傾向及び客観状態の改善傾向を認識してもよい。
【０１１１】
施策グループ選択部１２は、ユーザＵａの第１回目のスケジュール決定工程においては、他のユーザＵｂ、Ｕｃの肌状態の主観データ、客観データから上記主観状態の改善傾向
及び客観状態の改善傾向を認識し、ユーザＵａの第２回目のスケジュール決定工程においてはユーザＵａの肌状態の主観データ、客観データから主観状態の改善傾向及び客観状態の改善傾向を認識してもよい。
【０１１２】
施策グループ選択部１２は、肌状態のみならず、心状態、体状態についても同様に主観状態の改善傾向及び客観状態の改善傾向を認識し、当該心状態、体状態の主観状態の改善傾向及び客観状態の改善傾向を加味して施策を選択してもよい。
【０１１３】
施策グループ選択部１２は、「現在行っている施策」と同内容及び同頻度または同程度の施策を施策グループから除外してもよい。ユーザが既に行っている施策は、提案するまでもないと考えられるからである。
【０１１４】
図１１Ａの例では、施策グループ選択部１２は、「湯船につかる」「ビタミンＣ摂取」「野菜摂取」「１万歩以上歩く」を含むように複数の施策の組合せである施策グループを選択する。
【０１１５】
さらに、ユーザの要望に沿った施策を選択するため、肌サポートアプリ３５ａは、図６のＳＴＥＰ７１に進み、図１９の施策要望処理が実行されてもよい。施策要望の処理の詳細については後述する。
【０１１６】
施策情報送信部１３は、施策グループの中から、ユーザＵａの「施策のカテゴリー、希望、頻度」に応じて施策の優先度を評価し、当該優先度に従って初期の施策を決定する。図１２には、初期の施策として「湯船につかる」「野菜摂取」「１万歩以上歩く」が選択されたスケジュールの例を示している。施策情報送信部１３は、このようにして決定したスケジュールの内容を示すスケジュールデータをユーザ端末３０に送信する。
【０１１７】
施策情報送信部１３は、併せて、ユーザＵａの指定を基に、一定期間の各工程の実施の計画を作成する。図１１Ｂには、ＳＴＡＲＴ時にゴール設定とスケジュール決定を行い、毎日モニタリングをし、１週間ごとにスケジュール修正を行い、１か月後に進捗グラフを作成し、３か月目にゴール判定と新たなゴール設定を行うという一連のイベントの計画が示されている。施策情報送信部１３は、ユーザＵａの指定に加えてまたは代えて、あらかじめ定められた、一定期間の各工程の実施の計画を用いてもよい。
【０１１８】
ユーザ端末３０において、図６のＳＴＥＰ５２で、肌サポートサーバ１０からスケジュールデータを受信すると、肌サポートアプリ３５ａは、図１２に示したようなスケジュールの実行表及び図１１Ｂに示したような作業内容の計画を表示可能にして、ユーザＵａによる各施策の実施を促す。図１２のスケジュールの実行表においては、各施策（「湯船につかる」、「野菜摂取」、「１万歩以上歩く」）の内容が表示される。
【０１１９】
［Ｆ．モニタリング工程］
図３に示した「３．モニタリング」の工程は、ユーザＵａが肌サポートアプリ３５ａ上で設定した期間ごとに（図１１Ｂでは毎日）、肌状態認識部１１及び施策情報送信部１３により実行される。肌サポートアプリ３５ａの利用を開始したユーザＵａは、ユーザ端末３０により、日々の肌、体、心の各状態と、スケジュールにより指示された施策の実施状況と、スケジュールにより指示された施策以外のユーザＵａの自主的な行動（施策外行動）の実施状況とを入力する。施策の実施状況には、「湯船につかる」、「野菜摂取」、「１万歩以上歩く」をそれぞれ実施したかどうかを示す情報のほか、「３０分」および「湯船につかる」、「３００ｇ」および「野菜を摂取」、「１万５千歩」および「歩く」など、時間、量などで表される施策の実行の度合いが含まれる。
【０１２０】
肌サポートアプリ３５ａは、図６のＳＴＥＰ５３で、ユーザＵａにより肌、体、心の状態が入力されるとＳＴＥＰ６０に処理を進め、上述した初期ユーザ情報データと同様に、ユーザＵａの肌、体、心の状態についての主観データと客観データを含む現状ユーザ情報データを肌サポートサーバ１０に送信してＳＴＥＰ５４に処理を進める。なお、肌サポートアプリ３５ａは、図６のＳＴＥＰ５３で、ユーザＵａにより肌、体、心の状態が入力されない場合、そのままＳＴＥＰ５４に処理を進める。ここで送信されるデータには、角質採取テープ３７によって採取された角層細胞に関するデータは含まれない。
【０１２１】
また、肌サポートアプリ３５ａは、図６のＳＴＥＰ５４で、ユーザＵａによりスケジュールの実行状況（各施策の実行状況）が入力されたときにＳＴＥＰ６１に処理を進め、スケジュールの実行状況を示す実行状況データを肌サポートサーバ１０に送信して図７のＳＴＥＰ５５に処理を進める。なお、肌サポートアプリ３５ａは、図６のＳＴＥＰ５４で、ユーザＵａによりスケジュールの実行状況（各施策の実行状況）が入力されない時は、そのままＳＴＥＰ５５に処理を進める。
【０１２２】
さらに、肌サポートアプリ３５ａは、図７のＳＴＥＰ５５で、ユーザＵａにより施策外行動の実施状況が入力されたときにＳＴＥＰ６２に処理を進め、実施された施策外行動の内容を示す施策外行動実施データを肌サポートサーバ１０に送信してＳＴＥＰ５６に処理を進める。なお、肌サポートアプリ３５ａは、図７のＳＴＥＰ５５で、ユーザＵａにより施策外行動の実施状況が入力されないときには、そのままＳＴＥＰ５６に処理を進める。
【０１２３】
図４のＳＴＥＰ１３〜図５のＳＴＥＰ１６、及び図４のＳＴＥＰ２０〜ＳＴＥＰ２２は、施策情報送信部１３による処理である。肌状態認識部１１は、ＳＴＥＰ１３でユーザ端末３０から現状ユーザ情報データを受信したときにＳＴＥＰ２０に処理を進め、現状ユーザ情報データをサポートＤＢ２０に蓄積してＳＴＥＰ１４に処理を進める。なお、肌状態認識部１１は、ＳＴＥＰ１３でユーザ端末３０から現状ユーザ情報データを受信しないときは、ＳＴＥＰ１４にそのまま処理を進める。
【０１２４】
また、施策情報送信部１３は、ＳＴＥＰ１４でユーザ端末３０から実行状況データを受信したときにＳＴＥＰ２１に処理を進め、実行状況データをサポートＤＢ２０に蓄積してＳＴＥＰ１５に処理を進める。一方で、ＳＴＥＰ１４でユーザ端末３０から実行状況データを受信していないと判定された場合は、そのままＳＴＥＰ１５に処理を進める。
【０１２５】
さらに、施策情報送信部１３は、ＳＴＥＰ１５でユーザ端末３０から施策外行動実施データを受信したときにＳＴＥＰ２２に処理を進め、施策外行動実施データをサポートＤＢ２０に蓄積して図５のＳＴＥＰ１６に処理を進める。一方で、施策情報送信部１３は、ＳＴＥＰ１５でユーザ端末３０から施策外行動実施データを受信しない時は、そのまま図５のＳＴＥＰ１６に処理を進める。
【０１２６】
図５に移って、ＳＴＥＰ１６で、施策情報送信部１３は、サポートＤＢ２０に蓄積されたユーザＵａの初期ユーザ情報データ、現状ユーザ情報データ、実行状況データ、及び施策外行動実施データ等に基づいて、スケジュールの進捗状況を示す進捗表データを作成し、この進捗表データをユーザ端末３０に送信する。
【０１２７】
ここで、スケジュールの進捗表は、例えば図１２に示したように、上から順に、肌状態（ここでは乾燥肌）のスコア、体状態のスコア、心状態のスコア、施策（湯船につかる、野菜摂取、１万歩以上歩く）の実施状況、暮らし情報（野菜摂取量、水分摂取量）、及び暮らし特殊事例が、１日単位で表示する構成となっている。
【０１２８】
また、スケジュール進捗表には、施策の実行度合い（「３０分」湯船につかる、「３００ｇ」野菜摂取、「１万５千歩」歩く）が含まれている。
【０１２９】
ユーザ端末３０において、肌サポートアプリ３５ａは、図７のＳＴＥＰ５６で、肌サポートサーバ１０から送信された進捗表データを受信したときにＳＴＥＰ６３に処理を進め、進捗表データをメモリ３６に保持する。肌サポートアプリ３５ａは、メモリ３６に格納された進捗表データを用いて、図１２に示した進捗表をユーザ端末３０の表示器３１に表示する。
【０１３０】
また、肌サポートアプリ３５ａは、進捗表データの他に、通信を介して認識した、肌サポートサーバ１０のサポートＤＢ２０に蓄積されたユーザＵａの初期ユーザ情報データ、現状ユーザ情報データ、実行状況データ、施策外行動実施データ等を用いて、ユーザＵａの肌、体、心の各状態の推移や変化を示す情報を、ユーザ端末３０の表示器３１に表示する。
【０１３１】
例えば、肌サポートアプリ３５ａは、図１３に示したように、スケジュールによる施策以外のユーザＵａの行動（洗顔法の変更、マッサージを受けた等）、及びユーザの体調（生理、睡眠不足等）と、ユーザＵａの肌状態の変化の関係を日単位の時系列グラフで、表示器３１に表示する。
【０１３２】
また、肌サポートアプリ３５ａは、図１４に示したように、一カ月単位で、ユーザＵａの角質状態を含む肌状態、心理状態、肌ケアの満足度、及び化粧品の使い方の評価値の変化を対比したレーダーチャートを表示器３１に表示する。
【０１３３】
ユーザＵａは、肌サポートアプリ３５ａによるこれらの表示を視認して、自身の肌、体、心の各状態の変化を確認することにより、肌の改善度と共に、体と心の状態の変化も把握することができるため、肌、体、及び心の状態をバランス良く改善しながら、目標とする肌状態のゴールへの到達することができる。
【０１３４】
また、肌サポートアプリ３５ａは、ＳＴＥＰ７２に進み、図３１に示される肌状態対応情報出力処理を実行する。肌状態対応情報出力処理の詳細については後述する。
【０１３５】
［Ｇ．スケジュール修正］
図３に示した「４．スケジュール修正」の工程は、ユーザＵａが肌サポートアプリ３５ａ上で設定した期間ごとに（図１１Ｂでは１週間ごとに）、施策情報送信部１３により実行される。図５のＳＴＥＰ１７〜ＳＴＥＰ２０、及びＳＴＥＰ３０〜ＳＴＥＰ３３が、施策情報送信部１３による処理である。
【０１３６】
また、肌サポートアプリ３５ａは、「４．スケジュール修正」の工程において、ＳＴＥＰ７３に進み、図３１に示される代替施策推奨処理を実行する。代替施策推奨処理の詳細については後述する。
【０１３７】
施策情報送信部１３は、ＳＴＥＰ１７で、サポートＤＢ２０に蓄積されたユーザＵａの初期ユーザ情報データ、現状ユーザ情報データ、及び実行状況データ等に基づいて、ユーザＵａ肌状態の目標達成度、スケジュールに組み込まれた各施策の実行度、及び各施策の効果を評価する。
【０１３８】
施策情報送信部１３は、図１５Ａに示した施策の評価基準を用いて、肌状態と体又は心の状態との相関関係を抽出し、この相関関係に基づいて、スケジュールに組み込まれた各施策の継続、施策グループからの除外、施策の中止、別の施策への変更を判断する。
【０１３９】
図１５Ａの評価基準では、判定項目として、実施の有無、肌への影響、体への影響、心への影響という四項目が使用され、実施率が所定実施率を超え、肌に良い影響があり、且つ、体と心に悪い影響がない施策については、Ａ評価となって継続と判断される。なお、図１５Ａでは、実施率が所定の実施率を超えた施策を「実施」として表記し、実施率が所定の実施率以下であった施策を「不実施」として表記している。図１２及び図１５Ｂでも同様である。
【０１４０】
施策の影響のタイミングと影響が継続する期間が施策ごとに定められている場合、施策情報送信部１３は、施策の影響のタイミングと施策の影響が継続する期間に基づいて、各施策の影響を判定してもよい。
【０１４１】
例えば、「湯船につかる」という施策の肌への影響、体への影響、心への影響は、翌日に影響が出、１日だけ継続すると定められていた場合、施策情報送信部１３は、例えば１２月１５日の「湯船につかる」という施策の影響は、１２月１６日の各状態に反映されていると判断する。
【０１４２】
また、「野菜摂取」という施策の肌への影響、体への影響、心への影響は、１週間後に影響が出、３日だけ継続すると定められていた場合、施策情報送信部１３は、例えば１２月１５日の「野菜摂取」という施策の影響は、１２月２２日〜１２月２４日の各状態に反映されていると判断する。
【０１４３】
それに対して、実施され、肌に良い影響があるが、体と心のいずれかに悪い影響がある施策については、Ｂ評価となって中止或は別施策への変更と判断される。また、実施率が所定の実施率以下となった施策はユーザＵａにとって負荷が大きかったと考えられるため、Ｃ評価となって中止或は別施策（例えば、ユーザＵａの負荷が軽減する施策又は別の施策）への変更と判断される。
【０１４４】
施策情報送信部１３は、各施策を１日だけ実施することで肌、体、心への良いまたは悪い影響があるかの評価を行っても良いし、数日や数週間などの一定期間において各施策を実施することで、肌、体、心への良いまたは悪い影響があるかの評価を行ってもよい。一定期間で評価を行う場合、施策情報送信部１３は、例えば、一定割合でいずれかの状態に悪影響が出た場合にＢ評価とし、実施割合が一定以下である場合にＣ評価とし、それ以外の場合Ａ評価としてもよい。これに代えて、施策情報送信部１３は、例えば、一定期間におけるいずれかの状態の満足度の平均値が所定以下となった場合にＢ評価としてもよい。また、１日におけるいずれかの状態の満足度が所定以下となり、かつ、一定期間におけるいずれかの状態の満足度の平均値が所定以下となった場合にＣ評価とし、１日の評価におけるいずれかの状態の満足度が所定以下となり、または、一定期間におけるいずれかの状態の満足度の平均値が所定以下となった場合にＢ評価とし、１日におけるいずれかの状態の満足度が所定値を超え、かつ、一定期間におけるいずれかの状態の満足度の平均値が所定値を超えた場合にＡ評価とするなど、１日の評価と一定期間の評価とを組み合わせて用いてもよい。
【０１４５】
また、施策情報送信部１３は、図８に示した肌状態のスコアの向上度が所定の向上度以下である場合に、当該肌状態のスコアの向上度が所定の向上度以下である施策を施策グループから除外してもよい。施策情報送信部１３は、体状態又は心状態のスコアの向上度が所定の向上度以下である場合に、体状態又は心状態のスコアの向上度が所定の向上度以下である施策を施策グループから除外してもよい。
【０１４６】
図１５Ｂは、図１５Ａに示した評価基準を、本実施形態における施策（湯船につかる、野菜摂取、１万歩以上歩く）に適用した例を示している。図１５Ｂにより、施策情報送信部１３は、「湯船につかる」についてはＡ評価として、次のスケジュールでの継続を決定し、「野菜摂取」についてはＢ評価として、施策グループからの除外、次のスケジュールでの中止或は他の施策への変更を決定し、「１万歩以上歩く」についてはＣ評価として、施策グループからの除外、次のスケジュールでの中止或は他の施策への変更を決定している。
【０１４７】
施策情報送信部１３は、複数の施策が行われた影響については、それらの施策の組合せごとに判断する。例えば、施策情報送信部１３は、「湯船につかる」「野菜摂取」の組合せが、Ｂ評価又はＣ評価であった場合、「湯船につかる」若しくは「野菜摂取」の単独の施策のみとするか、又はこれらのいずれかの施策と別な施策との組み合わせとするように変更してもよい。
【０１４８】
施策情報送信部１３はこのような評価処理を行って、スケジュール修正（主として施策グループの他の施策への変更による修正）の要否を判断し、スケジュール修正が必要と判断したときには、ＳＴＥＰ３０に処理を進めてスケジュールを修正する。そして、修正したスケジュールのデータであるスケジュール修正データをユーザ端末３０送信して、ＳＴＥＰ１９に処理を進める。一方、スケジュールの修正が不要であると判断したときには、施策情報送信部１３は、図５のＳＴＥＰ１８から図５のＳＴＥＰ１９に処理を進め、この場合はスケジュールは修正されない。
【０１４９】
次に、施策情報送信部１３は、ＳＴＥＰ１９で、初期ユーザ情報データ、現状ユーザ情報データ、及び施策外行動実施データ等に基づいて、ユーザＵａが行った各施策外行動（スケジュールに組み込まれている施策以外に、ユーザが行った行動）を評価する。
【０１５０】
施策情報送信部１３は、図１６Ａに示した施策外行動の評価基準を用いて、施策外行動の推奨の有無又は禁止の提案を判断する。図１６Ａの評価基準では、判定項目として、肌、体、心の各状態への影響が使用される。
【０１５１】
そして、「肌、体、心のいずれかに良い影響があり、且ついずれについても悪い影響が無い」場合は、Ｄ評価となって実施が推奨される。それに対して、「肌、体、心のいずれかに悪い影響がある」場合は、Ｅ評価となって禁止が提案される。また、「肌、体、心のいずれにも影響が無い」場合には、Ｆ評価となって実施が推奨されない。
【０１５２】
図１６Ｂは、図１６Ａに示した評価基準を、本実施形態における施策外行動（マッサージを受けた、チョコレートを大量に摂取した）に適用した例を示している。図１６Ｂにより、施策情報送信部１３は、「マッサージを受ける」についてはＤ評価として、次のスケジュールでの実施の推奨を決定している。また、「チョコレートの大量摂取」についてはＥ評価として、次のスケジュールでの止めるための施策（例えば、和菓子を摂取する代替案）の提案を決定している。
【０１５３】
施策情報送信部１３は、スケジュールに組み込まれた施策の中止或は変更、又は施策外行動について、実施の推奨或は禁止の提案を決定したときには、ＳＴＥＰ２０からＳＴＥＰ３１に処理を進める。そして、推奨を決定したときはＳＴＥＰ３１からＳＴＥＰ３３に処理を進め、施策外行動の実施を推奨する施策外行動推奨データをユーザ端末３０に送信して、図４のＳＴＥＰ１３に処理を進める。
【０１５４】
一方、施策情報送信部１３は、禁止の提案を決定したときには、ＳＴＥＰ３１からＳＴＥＰ３２に処理を進め、施策外行動の禁止を提案する施策外行動禁止データをユーザ端末３０に送信して、図４のＳＴＥＰ１３に処理を進める。
【０１５５】
また、施策情報送信部１３は、推奨又は禁止を提案する施策外行動がない場合には、ＳＴＥＰ２０から図４のＳＴＥＰ１３に処理を進める。なお、禁止を提案する施策外行動に代替行動がある場合には、禁止の提案に代えて代替行動への変更を提案する施策外行動禁止データをユーザ端末３０に送信するようにしてもよい。
【０１５６】
ユーザ端末３０において、肌サポートアプリ３５ａは、図７のＳＴＥＰ５７で、肌サポートサーバ１０からスケジュール修正データを受信すると、ＳＴＥＰ６５に処理を進め、スケジュール修正データに基づいてスケジュールを修正する。そして、肌サポートアプリ３５ａは、メモリ３６に保持されたスケジュールデータを更新して、処理をＳＴＥＰ５８に進める。
【０１５７】
また、肌サポートアプリ３５ａは、図７のＳＴＥＰ５８で、肌サポートサーバ１０から施策外行動推奨データ又は施策外行動禁止データを受信すると、ＳＴＥＰ６６に処理を進め、受信したデータに応じて、施策外行動を推奨又は禁止の提案を報知する画面をユーザ端末３０の表示器３１に表示する。なお、この報知は、例えば図１２に示した進捗表に報知メッセージを表示して行ってもよい。また、推奨する施策外行動を、新たな施策としてスケジュールを修正してもよい。
【０１５８】
［Ｈ．ゴール判定工程］
図３に示した「５．ゴール判定」の工程は、ユーザＵａが肌サポートアプリ３５ａ上で設定した期間ごとに（図１１ＢにおいてはＳＴＡＲＴから３か月後）、肌状態認識部１１、施策グループ選択部１２及び施策情報送信部１３により実行される。
【０１５９】
肌サポートアプリ３５ａは、角質採取テープ３７の使用と、角質採取テープ３７の郵送を促すメッセージをユーザ端末３０の表示器３１に表示する。
【０１６０】
肌状態認識部１１は、郵送された角質採取テープ３７から得られた情報に基づいて、肌状態の客観値（保水能力、皮脂適格性など）を認識する。客観値は、水分量が０−１００μＳ等、肌の物理状態を示す値そのままであってもよいし、それぞれの物理状態を大小に応じて１〜１０のいずれかに割り当てるなどして正規化した値であってもよい。
【０１６１】
また、肌サポートアプリ３５ａは、アンケートの回答、肌等の撮像の使用を促すメッセージをユーザ端末３０の表示器３１に表示し、得られた情報を送信する。
【０１６２】
肌状態認識部１１は、肌サポートアプリ３５ａから得られた情報に基づいて、肌の乾燥感の主観値（主観スコア）と、肌状態の客観値（肌の画像スコア）を認識する。
【０１６３】
施策グループ選択部１２及び施策情報送信部１３は、肌の乾燥感の主観値と、肌状態の客観値とに基づいて、肌状態のサポート開始時と３カ月後における評価値を比較して、ゴール達成度を判定する。
【０１６４】
図１７の例では、乾燥感の主観値のスコアが３カ月で３から５に増加しているので達成（○）と判定し、客観値についても、肌の画像スコアが３カ月で３から４に増大し、保水能力が２に維持され、皮脂適格性が１から２に増大しているので達成（○）と判定されている。そして、主観値と客観値が共にゴールを達成しているので、トータルとしてもゴールを達成したと判定している。
【０１６５】
肌状態認識部１１及び施策グループ選択部１２は、ゴールを達成した場合には新たなゴールを設定するため、図３に示した「１．ゴール設定」の工程を再度実行する。肌状態認識部１１及び施策グループ選択部１２は、ゴール未達の場合は、「２．スケジュール決定」工程を実施してもよいし、ユーザの希望または進捗に応じて「１．ゴール設定」の工程を再度実行してもよい。
【０１６６】
［Ｉ．２次データ生成］
図３に示した「６．２次データ生成」の工程は、２次データ生成部１９により実行される。２次データ生成部１９は、複数のユーザＵから送信される初期ユーザ情報データ、角層細胞解析データ、現状ユーザ情報データ、実行状況データ、施策外行動実施データ等の各種データ（以下、ユーザ個別データという）を、ユーザごとにサポートＤＢ２０に順次
蓄積する。
【０１６７】
そして、２次データ生成部１９は、サポートＤＢ２０に蓄積されたユーザ個別データを分析して、例えば図１８に示したように、各ユーザの特性（性別、年齢、居住地、嗜好、ライフスタイル等）、サポートの改善対象（乾燥感、ごわつき、敏感、ニキビ、しぼみ感等）、スケジュールにより提案された施策（湯船につかる、野菜摂取、１万歩以上歩く等）、及び施策の実施による肌、体、心の各状態の変化等を関連付けた２次データを生成する。
【０１６８】
また、２次データ生成部１９は、施策外行動についても図１８と同様に、各ユーザの特性と施策外行動の実施による肌、体、心の各状態の影響とを関連付けた２次データを生成する。
【０１６９】
このようにして生成された２次データは、同様の特性を有するユーザについて、体及び心に良い影響を与えつつ肌状態の改善を図るために有効な施策を選択する際に、有効に活用することができる。例えば、上述した図３の「２．スケジュール決定」の工程において、施策グループ選択部１２は、２次データを参照して、ユーザＵａの特性に適合した施策を選択することができる。
【０１７０】
また、上述した図３の「４．スケジュール修正」の工程において、施策情報送信部１３は、ユーザＵａの肌、体、心の各状態の推移に応じてスケジュールを変更する際に、２次データを参照して、より有効な施策或は施策外行動を組み込んだスケジュールに変更することができる。
【０１７１】
さらに、２次データは、肌状態のサポートを行う上で有効に利用できると共に、ある特性を有するユーザ（例えば、東京に住む３０代のアウトドア志向の女性等）をターゲットとしたマーケティング等の目的にも利用することができる。そのため、２次データを図１に示した他のシステム６０等に提供してもよい。
【０１７２】
［Ｊ．要望実現施策認識処理］
図１９を参照して要望実現施策認識処理の一例を説明する。
【０１７３】
図１９のＳＴＥＰ１０１において、要望認識部は、後述する要望認識処理を実行する。ＳＴＥＰ１０１において認識された要望は、肌サポートアプリ３５ａによって、肌サポートサーバ１０に送信され、サポートＤＢに記憶される。ＳＴＥＰ１０１において認識された要望は、通信を介して随時肌サポートアプリ３５ａにより認識される。
【０１７４】
図１９のＳＴＥＰ１０２において、施策認識部は、後述する施策認識処理を実行する。
【０１７５】
図１９のＳＴＥＰ１０３において、出力制御部は、認識された施策を含む情報を表示器３１に出力する。この後、ユーザＵａの操作に応じて、施策の選択がなされうる。選択された施策は、肌サポートアプリ３５ａによって、肌サポートサーバ１０に送信され、サポートＤＢに記憶される。サポートＤＢに記憶された施策は、通信を介して随時肌サポートアプリ３５ａにより認識される。
【０１７６】
［Ｋ．要望認識処理］
続いて、図２０〜図２２Ａを参照して、図１９のＳＴＥＰ１０１における要望認識処理の一例を説明する。
【０１７７】
図２０のＳＴＥＰ２０１において、出力制御部は、製品の選択画面を表示器３１に出力する。製品に代えて又は加えて、サービスの選択画面が表示器３１に出力されてもよい。
【０１７８】
出力制御部は、例えば、図２１に示される画面を表示器３１に出力する。図２１に示される画面には、「男前キット」、「紳士キット」、「健康に見えるキット」等の印象に関する言葉が使用された製品名を含む第１製品表示Ｐ０１と、「自分は出来る！キット！」等の心の状態に関する言葉が使用された製品名を含む第２製品表示Ｐ０２と、印象及び心の状態のいずれにも関係のない言葉が使用された製品名を含む第３製品表示Ｐ０３と、住所及び氏名の入力欄Ｐ０４と、購入ボタンＰ０５とが含まれている。この画面では、タッチパネル３２を介して種々の情報が入力されうる。
【０１７９】
なお、ユーザＵａの印象とは、ユーザＵａ本人またはユーザＵａではない者が、ユーザＵａの顔全体又は体全体など、ユーザＵａの肌を含むユーザＵａの比較的広範囲にわたる部分を観察したときに、観察者（ユーザＵａ本人またはユーザＵａではない者）の心に対して与えられる直接的な感じである。ユーザＵａの印象は、ユーザＵａの肌に対するユーザＵａ本人による評価及びユーザＵａの肌に対するユーザＵａと異なる者によって一定の基準又は規則に従ってなされた評価よりも比較的広範囲にわたる部分を観察する点で異なる。また、ユーザＵａの印象は観察者の心に対して与えられる直接的な感じである点で、ユーザＵａの肌に対するユーザＵａ本人による評価及びユーザＵａの肌に対するユーザＵａと異なる者によって一定の基準又は規則に従ってなされた評価とは異なる。
【０１８０】
また、ユーザの印象を示す言葉の例には、男前、男らしい、紳士的、健康的、若々しい、信頼できる、活き活きしている、元気がありそう、安心感がある、優しい、頼りがいがある、仕事ができる、責任感がある、真面目に見える、強く見える、人生が充実している、安心感を与えられる、成熟している、大人っぽい、イケメン、美しい、かわいい、女性らしい、おしとやか、さわやか、包容力がある、キュート、もてる、人気がありそう、カリスマ性がある、オーラがある、人を引き付ける、魅力的、がある。
【０１８１】
ユーザの心の状態を示す言葉の例には、自信が持てる、自分を認めたくなる、冷静、前向き、素直、楽しい、楽しい気分になれる、他人の言動や顔色が気にならない、他人をうらやましく感じない、行動することが好き、融通がきく、他人の長所に気付く、のんき、事実を確かめたくなる、周囲に配慮したくなる、素直に感謝できる、つらさを乗り越える事ができる、悲観的に考えない、気分が落ち込まない、不安に強い、嫌なことはすぐに忘れる、自分をコントロールできる、やる気に満ち溢れる、働く意欲がある、思考が研ぎ澄まされている、集中力が高い、思考力が高い、緊張しにくい、イライラしない、感情的にならない、達成動機が高い、いつも目標を持っていたい、他人よりうまくやりたい、個性を生かしたい、幸せ、充実感、ときめく、おおらか、大胆、達成意欲が強い、あきらめない、社交的、我慢強い、わくわく、安らか、思いやりのある、勇気がある、愛情あふれる、動じない、レジリエンスが高い、がある。
【０１８２】
第１製品表示Ｐ０１〜第３製品表示Ｐ０３は、製品名に代えて又は加えて、製品の画像等を含んでもよい。
【０１８３】
図２０のＳＴＥＰ２０２において、要望認識部は、タッチパネル３２を介して購入ボタンＰ０５の押圧操作を認識すると、入力された情報に基づいて、選択された製品名と、送り先としての住所及び名前と認識する。例えば、図２１の画面において購入ボタンＰ０５の押圧操作が認識された場合、要望認識部は、製品名としての「健康に見えるキット」と住所としての「東京都○○区××町１−１」と名前としての「△△太郎」とを認識する。サービスが選択された場合、選択されたサービスと住所、名前が認識されてもよい。
【０１８４】
図２０のＳＴＥＰ２０３において、要望認識部は、選択された製品名並びに送り先の情報（住所及び名前）に基づいて、発送担当者に電子メールを送る等の処理を実行することにより、選択された製品を送り先に送る手配を行う。要望認識部は、サービスが選択された場合、住所、名前を選択されたサービスの享受者としてサポートＤＢ等に記憶させる。
【０１８５】
図２０のＳＴＥＰ２０４において、出力制御部は、不図示のテーブルなどを参照することにより、選択された製品の使用方法を認識し、製品の使用方法を示す情報を表示器３１に出力する。要望認識部は、サービスが選択された場合、サービスの享受方法を認識し、サービスの享受方法を示す情報を表示器３１に出力する。
【０１８６】
図２０のＳＴＥＰ２０５において、要望認識部は、選択された製品に基づいて、ユーザＵａの印象又は心の状態に関する要望を認識する。例えば、出力制御部は、「健康に見えるキット」が選択されていた場合、図２２Ａのテーブルを参照することにより、「健康的な外見になりたい」とのユーザＵａの印象又は心の状態に関する要望を認識する。サービスについても同様にユーザＵａの印象又は心の状態に関する要望が認識されうる。図２２Ａのテーブルは、製品の購入者に対し購入した製品とその人の印象又は心の状態に関する要望とのアンケートを入力させることにより作成されうる。あらかじめ肌サポートアプリ３５ａの開発者等が図２２Ａのテーブルをその経験又は知識に基づいて作成してもよい。
【０１８７】
［Ｌ．要望認識処理］
続いて、図２２Ｂ及び図２３を参照して、図１９のＳＴＥＰ１０１における要望認識処理の他の例を説明する。
【０１８８】
図２３のＳＴＥＰ３０１において、出力制御部は、印象又は自信を表す言葉を選択させるための画面を表示器３１に出力する。印象を表す言葉とは、例えば、活発、落ち着いている、明るい等のユーザＵａを見た他人またはユーザＵａ自身がユーザＵａに対して感じる印象を表す言葉である。自信を表す言葉とは、「自信に満ち溢れた」等のユーザＵａ自身の自信を表す言葉である。印象又は自信を表す言葉に加えて又は代えて、印象又は自信を表す図形を選択するための画面が表示器３１に出力されてもよい。
【０１８９】
図２３のＳＴＥＰ３０２において、要望認識部は、タッチパネル３２を介して、選択された言葉を認識する。
【０１９０】
図２３のＳＴＥＰ３０３において、要望認識部は、選択された言葉に対応するユーザＵａの印象又は心の状態に関する要望を認識する。例えば、「明るい」との言葉が選択された場合、要望認識部は、図２２Ｂのテーブルを参照して、「健康的な外見になりたい」とのユーザＵａの外観又は心の状態に関する要望を認識する。これに加えて又は代えて、要望認識部は、選択された言葉そのものからユーザＵａの要望を認識してもよい。また、図形が選択された場合でも、同様の処理により、当該図形に対応するユーザＵａの印象又は心の状態に関する要望が認識されうる。図２２Ｃのテーブルは、無作為に抽出された人に対し言葉を選択させ、その選択された言葉とその人の印象又は心の状態に関する要望とのアンケートを入力させることにより作成されうる。あらかじめ肌サポートアプリ３５ａの開発者等が図２２Ｂのテーブルをその経験又は知識に基づいて作成してもよい。
【０１９１】
［Ｍ．要望認識処理］
続いて、図２２Ｃ及び図２４を参照して、図１９のＳＴＥＰ１０１における要望認識処理の他の例を説明する。
【０１９２】
図２４のＳＴＥＰ４０１において、出力制御部は、年齢、性別、職業、住んでいる地域、性格等のユーザＵａの属性を入力させるための画面を表示器３１に出力する。
【０１９３】
図２４のＳＴＥＰ４０２において、要望認識部は、タッチパネル３２を介して入力された情報に基づいて、ユーザＵａの属性を認識する。
【０１９４】
図２４のＳＴＥＰ４０３において、要望認識部は、ユーザＵａの属性に対応するユーザＵａの印象又は心の状態に関する要望を認識する。例えば、要望認識部は、図２２Ｃに示されるテーブルを参照して、ユーザＵａの属性に対するユーザＵａの印象又は心の状態に関する要望を認識する。また、要望認識部は、ユーザＵａの属性に加え、時季を勘案し、図２２Ｃに示されるテーブルに時期を加えたテーブルを参照し、例えば受験又は就職活動の時期には「仕事ができる人に見られたい」というようなユーザＵａの印象又は心の状態に関する要望を認識してもよい。図２２Ｃのテーブルは、無作為に抽出された人に対しその人の属性と時期とその人の印象又は心の状態に関する要望とのアンケートを入力させることにより作成されうる。あらかじめ肌サポートアプリ３５ａの開発者等が図２２Ｃのテーブルをその経験又は知識に基づいて作成してもよい。
【０１９５】
［Ｎ．施策認識処理］
続いて、図２５〜図２６を参照して、図１９のＳＴＥＰ１０２における施策認識処理の一例を説明する。
【０１９６】
図２５のＳＴＥＰ５０１において、ユーザ情報認識部は、ユーザＵａのユーザ情報を認識する。
【０１９７】
ユーザＵａのユーザ情報は、ユーザＵａの属性（年齢、性別、職業、住んでいる地域、趣味、嗜好等）、ユーザＵａの生活行動（習慣）、及びユーザＵａの体質を含む情報である。
【０１９８】
ユーザ情報認識部は、タッチパネル３２を介して入力された情報に基づいてユーザＵａの属性、ユーザＵａの生活行動、及びユーザＵａの体質を認識してもよい。ユーザ情報認識部は、ユーザＵａのメールアドレス等ユーザＵａによって入力された情報に基づいてＳＮＳサイト等を検索し、検索されたサイトに記載された情報に基づいて、ユーザＵａの属性、ユーザＵａの生活行動、及びユーザＵａの体質を認識してもよい。認識された情報は、ユーザを識別するためのユーザＩＤとともに、サポートＤＢ２０に記憶されうる。
【０１９９】
本実施形態では、図２６Ａのテーブルに示されるように、ユーザＵａの属性として、「３５歳」、「男性」、「職業会社員」を認識し、ユーザＵａの習慣として「飲酒の習慣」を認識し、ユーザＵａの体質として「ドライアイ」を認識したとして説明する。図２６Ａのテーブルは、システムの初期ユーザ情報データに含まれる情報から作成されうる。
【０２００】
図２５のＳＴＥＰ５０２において、他ユーザ情報認識部は、ユーザＵａとは異なる他ユーザのユーザ情報を認識する。他ユーザのユーザ情報は、ユーザＵａのユーザ情報と同様の方法で収集されうる。
【０２０１】
図２５のＳＴＥＰ５０３において、合致度認識部は、ユーザＵａと、各他ユーザとの合致度を認識する。例えば、合致度認識部は、図２６Ａに示されるように、ユーザＵａとの共通項の個数により、合致度を認識してもよい。この時、年齢については、３０代のように一定幅の年齢が同一年代として認識されてもよい。また、共通項の個数のみならず、各項目に固有の係数による重みづけ平均等により合致度が認識されてもよい。
【０２０２】
図２５のＳＴＥＰ５０４において、施策認識部は、ユーザＵａとの合致度が所定の合致度閾値以上の他ユーザを抽出する。合致度閾値は、サポートＤＢ２０に記憶され、通信によって認識された予め定められた値であってもよいし、後述するようにユーザＵａによってタッチパネル３２を介して定められた値であってもよい。
【０２０３】
本実施形態においては、合致度閾値が２であるとして説明する。この場合、施策認識部は、図２６Ａに示されるテーブルから、合致度閾値が２以上の他ユーザ２、他ユーザ３、他ユーザ５を抽出する。
【０２０４】
図２５のＳＴＥＰ５０５において、施策認識部は、抽出された各他ユーザに対し、他ユーザの要望と、他ユーザの施策と、他ユーザによる評価とを認識する。
【０２０５】
例えば、施策認識部は、図２６Ｂのテーブルを参照することにより、他ユーザの要望と、他ユーザの施策と、他ユーザによる評価とを認識する。施策認識部は、上記例では、他ユーザ２の要望「紳士的に見られたい」、施策「基礎化粧品を使う」、評価「８」と、他ユーザ３の要望「健康的な外見になりたい」、施策「１ｋｍランニング」、評価「７」と、他ユーザ５の要望「健康的な外見になりたい」、施策「基礎化粧品を使う」、評価「１０」とを認識する。他ユーザによる評価は、後述する図３１の肌状態対応情報出力処理において収集されうる。
【０２０６】
なお、図２６Ｂのテーブルは、各他ユーザが本システムを利用している際に作成されうる。
【０２０７】
図２５のＳＴＥＰ５０６において、施策認識部は、ユーザＵａの要望と同一の要望、かつ、他ユーザによる評価が所定の評価閾値以上の施策を認識する。例えば、施策認識部は、ユーザＵａの要望「健康的な外見になりたい」と同一の要望を有する他ユーザ３および他ユーザ５の施策のうち、他ユーザによる評価が所定の評価閾値以上施策を認識する。評価閾値が７．０である場合、施策「１ｋｍランニング」と施策「基礎化粧品を使う」とが認識されうる。
【０２０８】
この認識された施策を含む情報は、出力制御部により、図１９のＳＴＥＰ１０３において出力されうる。出力制御部は、例えば、図２７に示される画面を表示器３１に出力する。
【０２０９】
図２７に示される画面には、見出し表示Ｐ１０と、施策選択ボックスＰ１１と、合致度の平均値表示Ｐ１２と、平均の評価表示Ｐ１３と、施策選択ボタンＰ１４と、他の施策閲覧リンクＰ１５と、検索条件表示Ｐ１６と、検索条件変更リンクＰ１７とを含む。
【０２１０】
見出し表示Ｐ１０は、「健康的な外見になりたいユーザのうち、あなたに類似したユーザは以下の施策を実行しています。」とのユーザＵａの要望を示す情報を含む。
【０２１１】
施策選択ボックスＰ１１は、ユーザＵａのどの施策を選択するためのボックスである。
【０２１２】
合致度の平均値表示Ｐ１２は、当該施策を実行した他ユーザの合致度の平均値の表示である。これに代えてまたは加えて、当該施策を実行した他ユーザの合致度の最高値、中央値等が表示されてもよい。
【０２１３】
平均の評価表示Ｐ１３は、当該施策に対する他ユーザによる評価の平均値を示す表示である。これに代えてまたは加えて、当該施策に対する他ユーザの評価の最高値、中央値等が表示されてもよい。
【０２１４】
施策選択ボタンＰ１４は、選択された施策をユーザＵａの施策として決定するためのボタンである。出力制御部は、タッチパネル３２を介して当該施策選択ボタンＰ１４の押圧操作が検知されると、施策選択ボックスＰ１１にチェックが入っている施策をユーザＵａの施策として肌サポートサーバ１０に送信する。送信された施策は、ユーザＵａのスケジュールに組み込まれる。
【０２１５】
施策一覧閲覧リンクＰ１５は、施策の一覧を閲覧するためのリンクである。出力制御部は、タッチパネル３２を介して当該リンクの押圧操作を検知すると、施策の一覧を表示器３１に出力する。
【０２１６】
検索条件表示Ｐ１６は、合致度閾値、評価閾値等の施策の検索条件を示す表示である。
【０２１７】
検索条件変更リンクＰ１７は、合致度閾値、評価閾値等の検索条件を変更するためのリンクである。出力制御部は、タッチパネル３２を介して当該リンクの押圧操作を検知すると、合致度閾値、評価閾値等の検索条件を指定させるための画面を表示器３１に出力する。施策認識部は、タッチパネル３２を介して入力された情報を元に、図２５のＳＴＥＰ５０３〜ＳＴＥＰ５０６の処理を再度実行することにより、施策の再検索を行う。
【０２１８】
［Ｏ．施策認識処理］
続いて、図２８〜図２９Ｃを参照して、図１９のＳＴＥＰ１０２における施策認識処理の他の例を説明する。
【０２１９】
図２８のＳＴＥＰ６０１において、対応肌状態認識部は、ユーザＵａの要望に対応する肌状態の客観的項目（対応客観項目）を認識する。これに代えて、対応肌状態認識部は、不図示のテーブルを参照することにより、ユーザＵａの要望に対応する対応主観項目を認識し、さらに不図示のテーブルを参照することにより、対応主観項目に対応する肌状態の対応客観項目を認識してもよい。
【０２２０】
例えば、対応肌状態認識部は、図２９Ａに示されるテーブルを参照することにより、対応客観項目と目標状態とを認識する。例えば、ユーザＵａの要望が「健康的な外見になりたい」である場合、対応客観項目としての「水分量」「皮脂量」「皺の数」と、その目標状態である「増加」「減少」「減少」とを認識する。開発者らは、無作為に抽出された人に対しその人の印象又は心の状態に関する評価と肌状態の客観スコアとの評価を行い、複数の人に対する印象又は心の状態に関する評価と肌状態の客観スコアとの関連から、印象又は心の状態と肌状態の客観スコアとの関係性を見出して、その関係性に基づいて図２９Ａのテーブルを作成してもよい。また、あらかじめ肌サポートアプリ３５ａの開発者等が図２９Ａのテーブルをその経験又は知識に基づいて作成してもよい。
【０２２１】
対応客観項目は、ユーザＵａの肌に対するユーザＵａと異なる者によって一定の基準又は規則に従ってなされた評価における項目であってもよい。
【０２２２】
図２８のＳＴＥＰ６０２において、対応肌状態認識部は、対応客観項目に対応する肌状態の主観的項目である対応主観項目を認識する。対応肌状態認識部は、例えば、図２９Ｂに示されるテーブルを参照することにより、対応客観項目に対応する対応主観項目を認識する。例えば、対応客観項目「水分量」「皮脂量」「皺の数」に対し、それぞれ「乾燥感」「脂っぽさ」「老化度」 が認識される。なお、図２９Ｂに示されるテーブルにおける係数は、対応客観項目のスコアを対応主観項目のスコアへ変換するときに乗じる係数である。対応主観項目は、後述する代替施策推奨処理において活用されうる。開発者らは、無作為に抽出された人に対し肌状態の主観に関するアンケートを入力させるとともに、その人の肌状態の客観状態を測定し、肌状態の主観と肌状態の客観状態との関係性を解析することにより、図２９Ｂに示されるテーブルを作成しうる。また、あらかじめ肌サポートアプリ３５ａの開発者等が図２９Ｂのテーブルをその経験又は知識に基づいて作成してもよい。対応客観項目は、ユーザＵａの肌に対するユーザＵａと異なる者によって一定の基準又は規則に従ってなされた評価における項目である場合には、対応肌状態認識部は、当該項目と同一の項目を対応主観項目として認識してもよい。
【０２２３】
図２８のＳＴＥＰ６０３において、施策認識部は、対応客観項目を向上させるための施策を認識する。施策認識部は、例えば、図２９Ｃに示されるテーブルを参照することにより、対応客観項目を向上させるための施策を認識する。例えば、施策認識部は、「水分量」を増加させるための施策として、「１０分以上の入浴」を認識する。また、例えば、施策認識部は、「皮脂量」および「皺の数」を減少させるための施策として、「１ｋｍランニング」「基礎化粧品を使う」を認識する。開発者らは、無作為に抽出された人に対し肌状態の客観状態を測定し、その後指定の施策をさせ、その後の肌状態の変化を取得し、肌状態の客観状態の変化と施策との関係性を解析することにより、図２９Ｃに示されるテーブルを作成しうる。また、あらかじめ肌サポートアプリ３５ａの開発者等が図２９Ｃのテーブルをその経験又は知識に基づいて作成してもよい。
【０２２４】
図１９のＳＴＥＰ１０３において、出力制御部によりこれら認識された施策を含む情報が表示器３１に出力されうる。
【０２２５】
［Ｐ．施策認識処理］
続いて、図２９Ｄ〜図３０を参照して、図１９のＳＴＥＰ１０２における施策認識処理の他の例を説明する。
【０２２６】
図３０のＳＴＥＰ７０１において、ユーザ行動認識部は、過去の第１期間を分割した第２期間におけるユーザＵａの行動を認識する。
【０２２７】
例えば、ユーザ行動認識部は、肌サポートサーバ１０と通信することにより、ユーザＵａの過去のデータ（実行状況データ、施策外行動実施データ）を認識する。ユーザ行動認識部は、当該認識されたデータに示される過去の第１期間（例えば１ヶ月）を、複数の第２期間（例えば１週間毎）に分割する。そして、施策認識部は、各第２期間について、図３０のＳＴＥＰ７０１〜ＳＴＥＰ７０４の処理を実行する。図３０のＳＴＥＰ７０１において、ユーザ行動認識部は、対象の第２期間におけるユーザＵａの行動を認識する。
【０２２８】
図３０のＳＴＥＰ７０２において、行動評価部は、対象の第２期間におけるユーザＵａの印象又は心の状態の変化を認識する。例えば、行動評価部は、第２期間の開始時点のユーザＵａの印象又は心の状態に対する評価と、第２期間の終了時点のユーザＵａの印象又は心の状態に対する評価とを認識する。ユーザＵａの印象又は心の状態に対する評価は、後述する肌状態対応情報出力処理において認識されうる。本実施形態では、ユーザＵａの印象又は心の状態に対する評価は、不満、やや不満、やや満足、満足等の段階的に表される。
【０２２９】
また、第２期間の開始時点および終了時点は、厳密な意味での第２期間の開始時点および終了時点のみならず、第２期間の開始時点および終了時点とみなせる時点（例えば、第２期間の開始若しくは終了前または開始若しくは終了直後にユーザＵａの印象又は心の状態に対する評価がされた時点）をも意味する。
【０２３０】
図３０のＳＴＥＰ７０３において、行動評価部は、対象の第２期間においてユーザＵａの印象又は心の状態がユーザＵａの要望に近づいたか否かを判定する。例えば、行動評価部は、図３０のＳＴＥＰ７０２で認識された終了時点の評価が、開始時点の評価よりもユーザＵａの要望に合致する状態に近いか否かを判定する。行動評価部は、ユーザＵａの印象又は心の状態に対する評価が満足に近いか否かを判定してもよい。
【０２３１】
当該判定結果が肯定的である場合（図３０のＳＴＥＰ７０３でＹＥＳ）、対象の第２期間においてユーザＵａの印象又は心の状態がユーザＵａの要望に近づいたと判定され、図３０のＳＴＥＰ７０４において、行動評価部は、対象の第２期間における行動の優先度に所定の正の値を加算する。
【０２３２】
当該判定結果が否定的である場合（図３０のＳＴＥＰ７０３でＮＯ）は対象の第２期間においてユーザＵａの印象又は心の状態がユーザＵａの要望に近づいていないと判定される。当該判定結果が否定的である場合または図３０のＳＴＥＰ７０４の処理の後、図３０のＳＴＥＰ７０５において、行動評価部は、第１期間に含まれるすべての第２期間について図３０のＳＴＥＰ７０１〜ＳＴＥＰ７０４の処理を実行したか否かを判定する。
【０２３３】
当該判定結果が否定的である場合（図３０のＳＴＥＰ７０５でＮＯ）、ユーザ行動認識部は、未処理の第２期間が残っているため、未処理の第２期間に対し、図３０のＳＴＥＰ７０１を実行する。
【０２３４】
当該判定結果が肯定的である場合（図３０のＳＴＥＰ７０５でＹＥＳ）、図３０のＳＴＥＰ７０６において、施策認識部は、所定の優先度閾値以上の施策を認識する。優先度閾値は、予め肌サポートサーバ１０のサポートＤＢに記憶され、通信によって認識された閾値であってもよいし、ユーザＵａによって指定された閾値であってもよい。
【０２３５】
図３０のＳＴＥＰ７０１〜ＳＴＥＰ７０４の処理を繰り返すことによって、例えば図２９Ｄのテーブルに示されるように、第１期間において行われたユーザＵａの行動のそれぞれに対する優先度が算出される。この優先度が高いほど、当該優先度が付与されたユーザＵａの行動が、ユーザＵａの印象または心の状態に対するユーザＵａの評価が肯定的な影響を与えたことを意味する。
【０２３６】
図１９のＳＴＥＰ１０３において、出力制御部により、図３０のＳＴＥＰ７０６において認識された施策が表示器３１に出力される。
【０２３７】
［Ｑ．肌状態対応情報出力処理］
続いて、図３１〜図３３を参照して、図７のＳＴＥＰ７２における肌状態対応情報出力処理の一例を説明する。
【０２３８】
図３１のＳＴＥＰ８０１において、ユーザ肌状態認識部は、前回と今回のユーザの肌状態を示すスコアのセットを認識する。例えば、ユーザ肌状態認識部は、図３２Ａに示されるテーブルのように、ユーザＵａの肌状態の客観項目「水分量」「皮脂量」「皺の数」「目じりの角度」について、前回のスコアのセット「２」「２」「２」「３」と、今回のスコアのセット「５」「４」「１」「４」とを認識する。
【０２３９】
図３１のＳＴＥＰ８０２において、置換部は、ユーザＵａが要望する印象又は心の状態に対応する肌項目それぞれの係数を認識する。例えば、ユーザＵａの要望が「健康的な外見になりたい」である場合、図３２Ｂにおいて、置換部は、「健康的な外見になりたい」に対応する各肌状態の客観項目「水分量」「皮脂量」「皺の数」のそれぞれに対応する係数「８」「−３」「−２」を認識する。開発者らは、無作為に抽出された人に対し肌状態の客観状態の測定と印象又は心の状態の評価をし、肌状態の客観状態の項目と印象又は心の状態との関係性を解析することにより、図３２Ｂに示されるテーブルを作成しうる。また、あらかじめ肌サポートアプリ３５ａの開発者等が図３２Ｂのテーブルをその経験又は知識に基づいて作成してもよい。
【０２４０】
図３１のＳＴＥＰ８０３において、置換部は、係数とスコアのセットとに基づいて前回又は今回の印象または心の状態スコアを認識する。前回の印象または心の状態スコアとは、前回起動時に測定されたユーザＵａの印象または心の状態スコアである。今回の印象または心の状態スコアとは、今回起動時に測定されたユーザＵａの印象または心の状態スコアである。また、前回のスコアに代えて又は加えて、１か月前等の所定期間前のスコア、要望を入力した時点のスコアなどが認識されてもよい。
【０２４１】
置換部は、ユーザＵａの肌状態の客観項目「水分量」「皮脂量」「皺の数」「目じりの角度」の前回のスコアのセット「２」「２」「２」「３」と、「健康的な外見になりたい」に対応する各肌状態の客観項目「水分量」「皮脂量」「皺の数」のそれぞれに対応する係数「８」「−３」「−２」とから、「健康的な外見になりたい」に対応する各肌状態の客観項目「水分量」「皮脂量」「皺の数」のみの重み付け平均を取ることにより、前回の印象または心の状態スコアを６と算出する。
【０２４２】
同様に、置換部は、今回の印象または心の状態スコアを３０と算出する。
【０２４３】
図３１のＳＴＥＰ８０４において、出力制御部は、印象の評価及び施策の評価を促す情報と印象または心の状態スコアを含む情報とを出力する。
【０２４４】
例えば、出力制御部は、図３３に示される画面を出力する。
【０２４５】
図３３に示される画面には、ユーザＵａの要望に関連する見出し表示Ｐ２１と、前回のスコア表示Ｐ２２ａと前回のスコアに対応する言葉表示Ｐ２２ｂと前回のスコアに対応する図形表示Ｐ２２ｃと、今回のスコア表示Ｐ２３ａと今回のスコアに対応する言葉表示Ｐ２３ｂと今回のスコアに対応する図形表示Ｐ２３ｃと、今回の印象の評価入力欄Ｐ２４ａと、今回の施策の評価入力欄Ｐ２４ｂと、評価送信ボタンＰ２５とが含まれている。
【０２４６】
また、図３３に示される画面には、前回時点において撮像され、メモリ等に記憶されたユーザＵａの写真と今回時点において撮像され、メモリ等に記憶されたユーザＵａの写真とが含まれていてもよい。さらに、この画面には、前回時点の写真に代えて又は加えて、１か月前等の所定期間前の写真、要望を入力した時点の写真が含まれていてもよい。
【０２４７】
出力制御部は、タッチパネル３２を介して評価送信ボタンＰ２５の押圧操作を検知すると、図３１のＳＴＥＰ８０５において、今回の印象の評価入力欄Ｐ２４ａと今回の施策の評価入力欄Ｐ２４ｂとに入力された今回の印象の評価と今回の施策の評価とを含む情報を肌サポートサーバ１０に送信する。肌サポートサーバ１０は、今回の印象の評価と今回の施策の評価とを含む情報をサポートＤＢ２０に記憶する。
【０２４８】
［Ｒ．代替施策推奨処理］
続いて、図３４を参照して、図７のＳＴＥＰ７３における代替施策推奨処理の一例を説明する。
【０２４９】
図３４のＳＴＥＰ９０１において、対応肌状態認識部は、ユーザＵａの要望に対応する対応主観項目を認識する。図２８のＳＴＥＰ６０２で前述したように、対応肌状態認識部は、図２９Ａ及び図２９Ｂに示されるようなテーブルを参照することにより、ユーザＵａの要望に対応する対応客観項目を認識し、対応客観項目に対応する対応主観項目を認識してもよい。これに代えて、対応肌状態認識部は、不図示のテーブルを参照することにより、ユーザＵａの要望に対応する対応主観項目を認識してもよい。また、対応肌状態認識部は、不図示のテーブルを参照することにより、ユーザＵａの要望に対応する対応客観項目及び対応主観項目の両方を認識してもよい。
【０２５０】
図３４のＳＴＥＰ９０２において、ユーザ肌状態認識部は、ユーザＵａの対応主観項目のスコアを認識する。ユーザＵａの対応主観項目のスコアは、例えば前述したように、アンケートにより認識されうる。
【０２５１】
図３４のＳＴＥＰ９０３において、ユーザ肌状態認識部は、対応主観項目のスコアが主観閾値以下か否かを判定する。主観閾値は、予め肌サポートサーバ１０に記憶され、通信によって認識された値であってもよいし、タッチパネル３２を介して、ユーザによって指定された値であってもよい。
【０２５２】
当該判定結果が肯定的である場合（図３４のＳＴＥＰ９０３でＹＥＳ）、ユーザＵａの要望に応えられていないため、図３４のＳＴＥＰ９０４において、施策認識部は、対応主観項目を向上させるための施策を認識する。例えば、施策認識部は、不図示のテーブルを参照することにより、対応主観項目に対応付けられた施策を認識する。
【０２５３】
図３４のＳＴＥＰ９０５において、出力制御部は、認識された施策を含む情報を表示器３１に出力する。
【０２５４】
当該判定結果が否定的である場合（図３４のＳＴＥＰ９０３でＮＯ）はユーザＵａの要望に十分に応えられている。そのため、当該判定結果が否定的である場合（図３４のＳＴＥＰ９０３でＮＯ）または図３４のＳＴＥＰ９０５の処理の後、肌サポートアプリ３５ａは、代替施策推奨処理を終了する。
【０２５５】
（変形態様）
上記の例では、肌サポートアプリ３５ａを実行したＣＰＵ３５が、本発明の「要望認識部」「施策認識部」「出力制御部」「他ユーザ評価認識部」「ユーザ情報認識部」「他ユーザ情報認識部」「合致度認識部」「ユーザ行動認識部」「行動評価部」「対応肌状態認識部」「ユーザ肌状態認識部」「置換部」として機能したが、これに代えて、適当なプログラムを読み込んだ肌サポートサーバ１０が「要望認識部」「施策認識部」「他ユーザ評価認識部」「ユーザ情報認識部」「他ユーザ情報認識部」「合致度認識部」「ユーザ行動認識部」「行動評価部」「対応肌状態認識部」「ユーザ肌状態認識部」「置換部」の一部または全部の機能及び「出力制御部」の一部の機能として機能してもよい。この場合、肌サポートアプリ３５ａを実行したＣＰＵ３５が通信を介して実行結果を認識し、「要望認識部」「施策認識部」「出力制御部」「他ユーザ評価認識部」「ユーザ情報認識部」「他ユーザ情報認識部」「合致度認識部」「ユーザ行動認識部」「行動評価部」「対応肌状態認識部」「ユーザ肌状態認識部」「置換部」の残部として機能しうる。
【０２５６】
上記の例では、肌サポートアプリ３５ａを実行したＣＰＵ３５が、肌サポートサーバ１０と通信することにより、各種必要なデータを受信したが、これに代えて又は加えて、肌サポートアプリ３５ａを実行したＣＰＵ３５が、ユーザ端末３０の記憶装置に記憶されたデータを参照し、処理を実行してもよい。
【０２５７】
図２２Ａ〜図２２Ｃ、図２６Ａ〜図２６Ｂ、図２９Ａ〜２９Ｄ及び図３２Ａ〜図３２Ｂに示されるテーブルは、肌サポートサーバ１０のサポートＤＢに記憶され、肌サポートアプリ３５ａが必要に応じてダウンロードしてメモリ３６に記憶して使用してもよいし、肌サポートサーバ１０が肌サポートアプリ３５ａから検索情報を受信して、テーブルを検索し、検索結果を肌サポートアプリ３５ａ送信してもよい。
【０２５８】
図１９のＳＴＥＰ１０１においては、ユーザＵａのなりたい印象又は心の状態を示す言葉又は図形を表示し、タッチパネル３２を介してユーザＵａにユーザＵａのなりたい印象又は心の状態を選択させてもよい。この場合、各印象又は心の状態を示す言葉又は図形には、その印象又は心の状態の具体的な説明が付加されていてもよい。例えば、「紳士的に見られたい」という言葉に対して、「包容力がありそう」、「優しそう」、「安心感を与えられる」等の具体的な説明が付加されていてもよい。また、その印象又は心の状態に関連する肌状態の項目に関する情報が出力されてもよい。
【０２５９】
また、この場合、複数の印象又は心の状態が選択されてもよい。
【０２６０】
選択された複数の印象又は心の状態が、互いに反対の肌状態の対応客観項目に関連付けられている場合（たとえば、一の印象又は心の状態が「目じりが上がる」に関連付けられている一方、他の印象又は心の状態が「目じりが下がる」に関連付けられている場合）、施策認識部は、選択された複数の印象又は心の状態に共通する対応客観項目又は対応主観項目を向上させるための施策を認識してもよい。
【０２６１】
また、出力制御部は、ユーザＵａにユーザＵａのなりたい印象又は心の状態のうち、タッチパネル３２を介して１の印象又は心の状態が選択された場合、当該１の印象又は心の状態の対応客観項目に矛盾する対応客観項目又は対応主観項目に関連づけられた他の印象又は心の状態の選択肢を無効化してもよい。
【０２６２】
製品、サービス、印象若しくは自信を表す言葉若しくは図形又はユーザの属性に複数の印象又は心の状態が関連付けられていてもよい。
【符号の説明】
【０２６３】
１…通信ネットワーク、１０…肌サポートサーバ、１１‥肌状態認識部、１２…施策グループ選択部、１３…施策情報送信部、１９…２次データ生成部、２０…サポートＤＢ（データベース）、３０（３０ａ，３０ｂ，３０ｃ）…ユーザ端末（スマートフォン）、３１…表示器、３２…タッチパネル、３３…カメラ、３４…マイク、３５…ＣＰＵ、３５
ａ…肌サポートアプリ、３６…メモリ、４０…接続端子、４５…測定機器。
【図１】
2019028691.tif 000003
【図２】
2019028691.tif 000004
【図３】
2019028691.tif 000005
【図４】
2019028691.tif 000006
【図５】
2019028691.tif 000007
【図６】
2019028691.tif 000008
【図７】
2019028691.tif 000009
【図８】
2019028691.tif 000010
【図９】
2019028691.tif 000011
【図１０】
2019028691.tif 000012
【図１１】
2019028691.tif 000013
【図１２】
2019028691.tif 000014
【図１３】
2019028691.tif 000015
【図１４】
2019028691.tif 000016
【図１５】
2019028691.tif 000017
【図１６】
2019028691.tif 000018
【図１７】
2019028691.tif 000019
【図１８】
2019028691.tif 000020
【図１９】
2019028691.tif 000021
【図２０】
2019028691.tif 000022
【図２１】
2019028691.tif 000023
【図２２】
2019028691.tif 000024
【図２３】
2019028691.tif 000025
【図２４】
2019028691.tif 000026
【図２５】
2019028691.tif 000027
【図２６】
2019028691.tif 000028
【図２７】
2019028691.tif 000029
【図２８】
2019028691.tif 000030
【図２９】
2019028691.tif 000031
【図３０】
2019028691.tif 000032
【図３１】
2019028691.tif 000033
【図３２】
2019028691.tif 000034
【図３３】
2019028691.tif 000035
【図３４】
2019028691.tif 000036